(57)【特許請求の範囲】
【請求項１】
それぞれのオーディオビジュアル情報再生装置（図１の１００．１〜１００．ｎ）の通信手段に接続されたホストサーバ（１０）を備えた、少なくとも１つのオーディオビジュアル情報再生装置をリモート管理するためのシステムであり、前記ホストサーバ（１０）が、それぞれのオーディオビジュアル情報再生装置（図１の１００．１〜１００．ｎ）ごとの管理情報、一組の選択可能な音楽、それぞれのオーディオビジュアル情報再生装置（図１の１００．１〜１００．ｎ）ごとの一組の可能な構成設定を含むデータベース（１１）を記憶することのできる記憶手段（１３）を備えた、該システムであって、
前記ホストサーバ（１０）が、さらに、データベース（１１）と通信を行う「インターネット」サイトマネージャ（１２）を備え、「インターネット」サイトは、少なくとも１つのオーディオビジュアル情報再生装置（図１の１００．１〜１００．ｎ）の管理に責任を有するオペレータによってアクセスすることができ、また、いくつかの画面（２００〜１０１０）を備え、少なくとも１つの第１の画面（２００）が、使用情報を得ることのできる局所的に配置されたオーディオビジュアル情報再生システム（１００．１〜１００．ｎ）のリストを表示するポップアップメニューを備え、少なくとも１つのオーディオビジュアル情報再生装置（図１の１００．１〜１００．ｎ）の選択を確認することによって、オペレータが、それぞれの選択されたオーディオビジュアル情報再生装置（図１の１００．１〜１００．ｎ）の操作パラメータを変更するのに使用することのできる第１組の画面群（９００、１０１０）、および／または、オペレータが、少なくとも１つの曲を注文して、選択された装置（図１の１００．１〜１００．ｎ）のリストからのオーディオビジュアル情報再生システム（図１の１００．１〜１００．ｎ）にダウンロードするのに使用することのできる、あるいは、少なくとも１つの曲を削除するのに使用することのできる第２組の画面群（５００〜８００）、および／または、オーディオビジュアル情報再生装置（図１の１００．１〜１００．ｎ）の使用に関する情報を表示する第３組の画面群の表示が引き起こされる、
ことを特徴とするシステム。
【請求項２】
「インターネット」サイトマネージャ（１２）が、それぞれの画面に表示されたそれぞれのオーディオビジュアル情報再生装置（図１の１００．１〜１００．ｎ）の操作に関する情報と、利用可能な曲のリストとを、データベース（１１）内で収集することを特徴とする請求項１に記載の少なくとも一つのオーディオビジュアル情報再生装置を遠隔管理するためのシステム。
【請求項３】
第１組の画面群および／または第２組の画面群内でオペレータによってなされる変更がファイルに記憶され、データベース（１１）の言語に変換されて、ホストサーバ（１０）とそれぞれのオーディオビジュアル情報再生装置（図１の１００．１〜１００．ｎ）との間で通信が確立されるやいなや、これらの組の画面群内で変更されたデータを更新し、かつ、その変更に関係のあるそれぞれのオーディオビジュアル情報再生装置（図１の１００．１〜１００．ｎ）を更新することを特徴とする請求項１または２に記載の少なくとも一つのオーディオビジュアル情報再生装置を遠隔管理するためのシステム。
【請求項４】
「インターネット」サイトマネージャ（１２）が、オペレータが管理するオーディオビジュアル情報再生装置（図１の１００．１〜１００．ｎ）へとそのオペレータのアクセスを制限するように設計されたオペレータ認証手段（４１０）を備えることを特徴とする請求項１〜３のいずれか一項に記載の少なくとも一つのオーディオビジュアル情報再生装置を遠隔管理するためのシステム。
【請求項５】
第１組および第２組の画面群内の画面が、いくつかの選択ボタン（３０１〜３０８）を備えたツールバー（３００）を備え、前記選択ボタン（３０１〜３０８）は、第１組または第２組の画面群内に画面を表示するか、表示された画面上でなされた操作を確認することを特徴とする請求項１〜４のいずれか一項に記載の少なくとも一つのオーディオビジュアル情報再生装置を遠隔管理するためのシステム。
【請求項６】
ツールバー（３００）の第１の選択ボタン（３０１）が、オペレータによって選択されたオーディオビジュアル情報再生装置の場所に関する情報を表示する第１のウィンドウ（４０１）と、第１のウィンドウ（４０１）に表示された情報を必要であれば更新するための入力領域（４０２）とを備えた第３の画面（４００）の表示を発生させることを特徴とする請求項５に記載の少なくとも一つのオーディオビジュアル情報再生装置を遠隔管理するためのシステム。
【請求項７】
ツールバー（３００）の第２の選択ボタン（３０２）が、いくつかの入力領域（５０５．ｉ、５０１．ｉ、５０２）を備えた、第２組の画面群の中の第４の画面（５００）を表示するのを始動し、入力領域（５０５．ｉ、５０１．ｉ、５０２）は、曲を選択するための選択基準を定義するのに使用され、合致する曲のリストは、オペレータにより入力フィールド（５０５．ｉ、５０１．ｉ、５０２）内で選択された基準を含む要求を送信するサイトマネージャ（１２）によって、最初に、データベース（１１）内で収集され、次に、画面（５００）内のポップアップウィンドウ（５０７）に表示されることを特徴とする請求項５または６に記載の少なくとも一つのオーディオビジュアル情報再生装置を遠隔管理するためのシステム。
【請求項８】
第４の画面（５００）内のポップアップウィンドウ（５０７）で選択された曲の選択を確認することによって、選択された曲を識別する要素を含むいくつかの領域（６０１．１〜６０１．４）と、オペレータによって管理されるオーディオビジュアル情報再生装置のリストを表示するポップアップウィンドウ（６０２）と、サイトマネージャ（１２）に要求を送信することによって、オペレータによってポップアップウィンドウ（６０２）内で選択されたオーディオビジュアル情報再生装置のために、選択された曲を購入することを確認する第１の選択領域（６０３）と、再度第４の画面（５００）を表示する第２の選択領域（６０４）とを備えた第５の画面（６００）を表示することが始動されることを特徴とする請求項５または６に記載の少なくとも一つのオーディオビジュアル情報再生装置を遠隔管理するためのシステム。
【請求項９】
ツールバー（３００）の第３の選択ボタン（３０３）が、第１に、オペレータによって選択されたオーディオビジュアル情報再生装置の使用に関する情報を含むいくつかのフィールド（７０１．１〜７０１．７）と、第２に、オペレータによって選択されたオーディオビジュアル情報再生装置にダウンロードされるべき曲のリストを含む第１のポップアップウィンドウ（７０２）およびこのオーディオビジュアル情報再生装置から削除されるべき曲のリストを含む第２のポップアップウィンドウ（７０４）と、第３に、第１のポップアップウィンドウ（７０２）内でオペレータによって以前に選択された１つまたは複数の曲のダウンロードをキャンセルするのを始動する第１の選択領域（７０３）および第２のポップアップウィンドウ（７０４）内でオペレータによって以前に選択された１つまたは複数の曲の削除をキャンセルするのを始動する第２の選択領域（７０５）とを備えた第６の画面（７００）を表示するのを始動することを特徴とする請求項５に記載の少なくとも一つのオーディオビジュアル情報再生装置を遠隔管理するためのシステム。
【請求項１０】
ツールバー（３００）の第４の選択ボタン（３０４）が、オペレータによって選択されたオーディオビジュアル情報再生装置の使用に関する統計情報を含むいくつかのフィールド（８０１．１〜８０１．３）と、頻繁にかけられた上位の曲のリストを含む第１のポップアップウィンドウ（８０２）と、オペレータによって選択されたオーディオビジュアル情報再生装置で頻繁にかけられなかった下位の曲のリストを含む第２のポップアップウィンドウ（８０３）とを備えた第７の画面（８００）を表示するのを始動し、第７の画面（８００）は、さらに、第２のポップアップウィンドウ（８０３）内でオペレータによって選択された１つまたは複数の曲を削除するのを始動する選択領域（８０４）を備えることを特徴とする請求項５に記載の少なくとも一つのオーディオビジュアル情報再生装置を遠隔管理するためのシステム。
【請求項１１】
ツールバー（３００）の第５の選択ボタン（３０５）が、それぞれの領域ごとに、料金を指定、選択、または、入力するのにオペレータが使用することのできる第１の入力領域群（９０１）と、それぞれの料金ごとに、料金を支払った後に選択できる回数を指定するのにオペレータが使用することのできる第２の入力領域群（９０２）とを備えた画面（９００）を表示するのを始動することを特徴とする請求項５に記載の少なくとも一つのオーディオビジュアル情報再生装置を遠隔管理するためのシステム。
【請求項１２】
第８の画面（９００）が、オペレータによって選択されたオーディオビジュアル情報再生装置のオーディオ再生手段を調節するのに必要なパラメータを指定、選択、または、入力するのに使用されるいくつかの入力領域（９１１．１〜９１１．３、９１２．１〜９１２．３、９１３、９１４）を備えたことを特徴とする請求項５に記載の少なくとも一つのオーディオビジュアル情報再生装置を遠隔管理するためのシステム。
【請求項１３】
ツールバー（３００）の第６の選択ボタン（３０６）が、サイトマネージャ（１２）によって管理されるインターネットサイトにオペレータが接続した時にオペレータによってなされたすべての変更を表示するウィンドウ（１００１）と、第１のウィンドウ（１００１）に表示されたすべての操作を確認するのを始動する第１の選択領域（１００３）と、すべてのこれらの変更をキャンセルする第２の選択領域（１００２）とを備えた第９の画面（１０００）を表示するのを始動することを特徴とする請求項５に記載の少なくとも一つのオーディオビジュアル情報再生装置を遠隔管理するためのシステム。
【請求項１４】
第７の選択ボタン（３０７）が、少なくとも１つの選択領域（１０１０．１〜１０１０．５）を備えた画面（１０１０）を表示するのを始動し、選択領域（１０１０．１〜１０１０．５）は、オーディオビジュアル情報再生装置（図１の１００．１〜１００．ｎ）の特定の機能を動作状態または非動作状態にするのに使用することができることを特徴とする請求項５に記載の少なくとも一つのオーディオビジュアル情報再生装置を遠隔管理するためのシステム。
【請求項１５】
ツールバー（３００）の第８のボタン（３０８）が、オペレータによって管理されるすべてまたは一部のオーディオビジュアル情報再生装置（１００．１〜１００．ｎ）のデフォルト基本構成設定を定義するのに使用される画面を表示するのを始動することを特徴とする請求項５〜７のいずれか一項に記載の少なくとも一つのオーディオビジュアル情報再生装置を遠隔管理するためのシステム。
【請求項１６】
第２組の画面群が、オペレータが要求する曲のカテゴリーのための第１の選択メニューと、オペレータが要求する曲のスタイルのための第２の選択メニューと、第２の画面の表示を始動するためにオペレータの選択を確認する選択領域とを含む画面を備え、第２の画面は、オペレータによって選択されるカテゴリーおよびスタイルに対応する曲情報のリストを表示する第１のウィンドウと、第１のウィンドウのリストからオペレータによって選択される曲情報のリストを表示する第２のウィンドウと、オペレータの選択を確認する選択領域とを含むことを特徴とする請求項１〜８のいずれか一項に記載の少なくとも一つのオーディオビジュアル情報再生装置を遠隔管理するためのシステム。
【請求項１７】
オペレータが有するすべてのジュークボックスで頻繁にかけられた上位の曲の中から、あるいは、サーバ（１０）によって管理されるすべてのジュークボックスで頻繁にかけられた上位の曲の中から、あるいは、同一の決められたカテゴリーに属するあらゆる支店に設置されたすべてのジュークボックスで頻繁にかけられた上位の曲の中から、表示される曲のリストが、データベース内で収集されることを特徴とする請求項１６に記載の少なくとも一つのオーディオビジュアル情報再生装置を遠隔管理するためのシステム。
【請求項１８】
第２のウィンドウ（８０２）が、さらに、オーディオビジュアル情報再生装置（図１の１００．１〜１００．ｎ）にすでに記憶されている曲のリストを備えたことを特徴とする請求項９に記載の少なくとも一つのオーディオビジュアル情報再生装置を遠隔管理するためのシステム。
【請求項１９】
第３組の画面群が、オーディオビジュアル情報再生装置（図１の１００．１〜１００．ｎ）によってかけられた曲のリストと、それぞれの曲がかけられた日付とを表示するウィンドウを備えた少なくとも１つの画面と、および／または、オーディオビジュアル情報再生装置のスイッチがオンおよび／またはオフされた１つまたは複数の日付を示すウィンドウと、オーディオビジュアル情報再生装置とホストサーバとの間の通信が中断した１つまたは複数の日付を示すウィンドウとを備えた少なくとも１つの画面とを備えたことを特徴とする請求項１〜１０のいずれか一項に記載の少なくとも一つのオーディオビジュアル情報再生装置を遠隔管理するためのシステム。
【請求項２０】
システムが、磁気記録システムまたは光学記録システムを備え、それによって、オペレータによって選択された曲が、持ち運ぶことのできる磁気媒体または光媒体、あるいは、好ましくは半導体を用いた固体電子メモリーに記録されることを特徴とする請求項９に記載の少なくとも一つのオーディオビジュアル情報再生装置を遠隔管理するためのシステム。
【請求項２１】
曲が暗号化され、そして、持ち運ぶことのできる磁気媒体または光媒体に圧縮された形式で記録され、その曲は、それがオーディオビジュアル情報再生装置（図１の１００．１〜１００．ｎ）でかけられたときに、はじめて解凍および暗号解読されることを特徴とする請求項１２に記載の少なくとも一つのオーディオビジュアル情報再生装置を遠隔管理するためのシステム。
【発明の詳細な説明】
【０００１】
【発明の属する技術分野】
本発明は、少なくとも１つのオーディオビジュアル情報再生装置を管理するためのシステムに関する。
【０００２】
【従来の技術】
国際特許出願第ＷＯ９６／１２２５５号は、一般にジュークボックスと呼ばれる、オーディオビジュアル情報を再生するための装置について記述している。このジュークボックスは、システムユニットを中心にして構成され、そのシステムユニットは、オーディオビジュアル再生手段と、曲のサウンドトラックに対応する少なくとも１つのオーディオビジュアル情報を記憶するための手段とを管理する。また、システムユニットは、モデムなどの通信手段も管理し、それによって、とりわけ、オーディオビジュアル情報をホストサーバからダウンロードできるようにする。新しい曲の注文を管理し、また、設定の変更を管理するには、オペレータは、ジュークボックスが設置された場所まで足を運ばなければならないか、さもなければ、オペレータは、ホストサーバにリンクされたコンピュータを使用しなければならない。さらに、ホストサーバとのリンクを介して実行することのできる管理操作は、選択した新しい曲を注文することに限られる。
【０００３】
【発明が解決しようとする課題】
したがって、本発明の目的は、局所的に設置されたインテリジェントオーディオビジュアル情報再生システムをリモート管理するためのシステムを提案し、それによって、オペレータが、管理および構成設定（Ｃｏｎｆｉｇｕｒａｔｉｏｎ）操作を実行するために移動しなければならない距離を少なくすることによって、従来技術の欠点を克服することである。
【０００４】
【課題を解決するための手段】
この目的は、オーディオビジュアル情報再生装置をリモート管理するためのシステムが、それぞれのオーディオビジュアル情報再生装置の通信手段に接続されたホストサーバを備えることによって達成され、このホストサーバは、それぞれのオーディオビジュアル情報再生装置ごとの管理情報、一組の選択可能な音楽、それぞれのオーディオビジュアル情報再生装置ごとの一組の可能な構成設定を含むデータベースを記憶することのできる記憶手段を備え、このシステムは、ホストサーバが、さらに、データベースと通信を行う「インターネット」サイトマネージャを備え、「インターネット」サイトは、少なくとも１つのオーディオビジュアル情報再生装置の管理に責任を有するオペレータによってアクセスすることができ、また、いくつかの画面を備え、少なくとも１つの第１の画面が、使用情報を得ることのできる局所的に配置されたオーディオビジュアル情報再生システムのリストを表示するポップアップメニューを備え、少なくとも１つのオーディオビジュアル情報再生装置の選択を確認することによって、オペレータが、それぞれの選択されたオーディオビジュアル情報再生システムの操作パラメータを変更するのに使用することのできる第１組の画面群、および／または、オペレータが、少なくとも１つの曲を注文して、装置の選択されたリスト内のオーディオビジュアル情報再生システムにダウンロードするのに使用することのできる、あるいは、少なくとも１つの曲を削除するのに使用することのできる第２組の画面群、および／または、オーディオビジュアル情報再生装置の使用に関する情報を表示する第３組の画面群が表示されることを特徴とする。
【０００５】
本発明の別の固有の特徴によれば、「インターネット」サイトマネージャは、それぞれの画面に表示されたそれぞれのオーディオビジュアル情報再生装置の操作に関する情報と利用可能な曲のリストとをデータベース内で収集する。
【０００６】
本発明のもう１つの固有の特徴によれば、第１組の画面群および／または第２組の画面群内でオペレータによってなされる変更は、ファイルに記憶され、データベース言語に変換されて、ホストサーバとそれぞれのオーディオビジュアル情報再生装置との間で通信が確立されるやいなや、これらの組の画面群内で変更されたデータを更新し、かつ、その変更に関係のあるそれぞれのオーディオビジュアル情報再生装置を更新する。
【０００７】
本発明のさらなる固有の特徴によれば、「インターネット」サイトマネージャが、オペレータが管理するオーディオビジュアル情報再生装置へとそのオペレータのアクセスを制限するように設計されたオペレータの認証手段を備える。
【０００８】
本発明のさらなる特徴によれば、第１組および第２組の画面群内の画面が、いくつかの選択ボタンを備えたツールバーを備え、その選択ボタンは、第１または第２組の画面群内に画面を表示するか、さもなければ、表示された画面上でなされた操作を確認する。
【０００９】
本発明のさらなる固有の特徴によれば、ツールバーの第１の選択ボタンが、オペレータによって選択されたオーディオビジュアル情報再生装置の場所に関する情報を表示する第１のウィンドウと、第１のウィンドウに表示された情報を必要であれば更新するための入力領域とを備えた第３の画面の表示を発生させる。
【００１０】
本発明のさらなる特徴によれば、ツールバーの第２の選択ボタンが、いくつかの入力領域を備えた、第２組の画面群の中の第４の画面を表示するのを始動し、それらの入力領域は、曲を選択するための選択基準を定義するのに使用され、選択基準に合致する曲のリストは、まず最初に、オペレータによって入力フィールド内で選択された基準を含む要求がサイトマネージャによって送信されることにより、データベース内で収集され、次に、第４の画面内のポップアップウィンドウに表示される。
【００１１】
本発明のさらなる固有の特徴によれば、第４の画面内のポップアップウィンドウで選択された曲の選択を確認することによって、選択された曲を識別する要素を含むいくつかの領域と、オペレータによって管理されるオーディオビジュアル情報再生装置のリストを表示するポップアップウィンドウと、サイトマネージャに要求を送信することによって、ポップアップウィンドウ内でオペレータによって選択されたオーディオビジュアル情報再生装置のために、選択された曲を購入することを確認する第１の選択領域と、再度、第４の画面を表示する第２の選択領域とを備えた第５の画面を表示することが始動される。
【００１２】
本発明のさらなる特徴によれば、ツールバーの第３の選択ボタンが、オペレータによって選択されたオーディオビジュアル情報再生装置の使用に関する情報を含むいくつかのフィールドと、オペレータによって選択されたオーディオビジュアル情報再生装置にダウンロードされるべき曲のリストを含む第１のポップアップウィンドウと、このオーディオビジュアル情報再生装置から削除されるべき曲のリストを含む第２のポップアップウィンドウと、第１のポップアップウィンドウ内でオペレータによって以前に選択された１つまたは複数の曲のダウンロードをキャンセルするのを始動する第１の選択領域と、第２のポップアップウィンドウ内でオペレータによって以前に選択された１つまたは複数の曲の削除をキャンセルするのを始動する第２の選択領域とを備えた第６の画面を表示するのを始動する。
【００１３】
本発明のさらなる特徴によれば、ツールバーの第４の選択ボタンが、オペレータによって選択されたオーディオビジュアル情報再生装置の使用に関する統計情報を含むいくつかのフィールドと、頻繁にかけられた上位の曲のリストを含む第１のポップアップウィンドウと、オペレータによって選択されたオーディオビジュアル情報再生装置で頻繁にかけられなかった下位の曲のリストを含む第２のポップアップウィンドウとを備えた第７の画面を表示するのを始動し、この第７の画面は、さらに、第２のポップアップウィンドウ内でオペレータによって選択された１つまたは複数の曲を削除するのを始動する選択領域を備える。
【００１４】
本発明のさらなる特徴によれば、ツールバーの第５の選択ボタンが、それぞれの領域ごとに料金を指定するのにオペレータが使用することのできる第１の入力領域群と、それぞれの料金ごとに、料金を支払った後に選択できる回数を指定するのに使用することのできる第２の入力領域群とを備えた第８の画面を表示するのを始動する。
【００１５】
本発明のさらなる特徴によれば、第８の画面が、オペレータによって選択されたオーディオビジュアル情報再生装置のオーディオ再生手段の調整に必要なパラメータを指定、選択、または、入力するのに使用されるいくつかの入力フィールドを備える。
【００１６】
本発明のさらなる特徴によれば、ツールバーの第６の選択ボタンが、サイトマネージャによって管理されるインターネットサイトにオペレータが接続した時にオペレータによってなされたすべての変更を表示するウィンドウと、第１のウィンドウに表示されたすべての操作を確認するのを始動する第１の選択領域と、すべてのこれらの変更をキャンセルする第２の選択領域とを備えた第９の画面を表示するのを始動する。
【００１７】
本発明のさらなる特徴によれば、第７の選択ボタンが、少なくとも１つの選択領域を備えた第１０の画面を表示するのを始動し、この選択領域は、オーディオビジュアル情報再生装置の特定の機能を動作状態または非動作状態にするのに使用することができる。
【００１８】
本発明のさらなる特徴によれば、ツールバーの第８のボタンが、オペレータによって管理されるすべてまたは一部のオーディオビジュアル情報再生装置のデフォルト基本構成設定を定義するのに使用される画面を表示するのを始動する。
【００１９】
本発明のさらなる特徴によれば、第２組の画面群が、オペレータが要求する曲のカテゴリーが選択される第１のメニューと、オペレータが要求する曲のスタイルが選択される第２のメニューと、オペレータが彼の選択を確認して、第２の画面を表示するのを始動する選択領域とを含む画面を含み、その第２の画面は、オペレータによって選択された第１のカテゴリーおよびスタイル内の曲のリストを表示する第１のウィンドウと、第１のウィンドウ内のリスト内でオペレータによって選択された曲のリストを表示する第２のウィンドウと、オペレータが彼の選択を確認する選択領域とを備える。
【００２０】
本発明のさらなる特徴によれば、オペレータが有するすべてのジュークボックスで頻繁にかけられた上位の曲の中から、あるいは、サーバによって管理されるすべてのジュークボックスで頻繁にかけられた上位の曲の中から、あるいは、同一の決められたカテゴリーに属するあらゆる支店に設置されたすべてのジュークボックスで頻繁にかけられた上位の曲の中から、表示される曲のリストが、データベース内で収集される。
【００２１】
本発明のさらなる特徴によれば、第２のウィンドウが、さらに、オーディオビジュアル情報再生装置にすでに記憶されている曲のリストを備える。
【００２２】
本発明のさらなる特徴によれば、第３組の画面群が、オーディオビジュアル情報再生装置によってかけられた曲のリストと、それぞれの曲がかけられた日付とを表示するウィンドウを備えた少なくとも１つの画面と、および／または、オーディオビジュアル情報再生装置のスイッチがオンおよび／またはオフされた１つまたは複数の日付を表示するウィンドウと、オーディオビジュアル情報再生装置とホストサーバとの間の通信が中断した１つまたは複数の日付を表示するウィンドウとを備えた少なくとも１つの画面とを備える。
【００２３】
本発明のさらなる特徴によれば、システムが、磁気記録システムまたは光学記録システムを備え、それによって、オペレータによって選択された曲が、持ち運ぶことのできる磁気媒体または光媒体、あるいは、好ましくは半導体を用いた固体電子メモリーに記録される。
【００２４】
本発明のさらなる特徴によれば、曲が暗号化され、そして、持ち運ぶことのできる磁気媒体または光媒体に圧縮された形式で記録され、その曲は、それがオーディオビジュアル情報再生装置でかけられたときに、はじめて解凍および暗号解読される。
【００２５】
本発明のその他の特徴および利点が、添付の図面を参照して、以下の説明を理解することによってより明白となるであろう。
【００２６】
【発明の実施の形態】
本発明によるオーディオビジュアル再生装置のためのリモート管理システムを詳細に説明する前に、オーディオビジュアル再生装置の構成およびそれの動作モードについて説明することは意義のあることである。
【００２７】
図３は、オーディオビジュアル情報再生装置の具体例を示す。この種の装置は、本出願人によって提出された国際特許出願第ＷＯ９６／１２２５５号に詳細に記述されている。このオーディオビジュアル情報再生装置は、決してそれに限定しないが、好ましくは、以下に記述および参照されるハードウェア構成要素を使用する。
【００２８】
マイクロプロセッサを備えたシステムユニット１は、高性能ＰＣ互換システムであり、実施時においては、少なくとも以下のメモリー手段および特性を備えたＩｎｔｅｌ  Ｐｅｎｔｉｕｍ型システムが選択された。
−Ｖｅｓａローカルバスとの互換性
−プロセッサキャッシュメモリー：２５６ｋバイト
−ＲＡＭメモリー：３２Ｍバイト
−高性能シリアルポートおよびパラレルポート
−マイクロプロセッサ制御ＳＶＧＡ型グラフィックアダプタ
−ＳＣＳＩ／２型バスコントローラ
−電源自給型スタティックＲＡＭメモリー
本発明においては、同等かまたはそれ以上の性能を備えていれば、別のどのようなシステムユニットを使用してもよい。
【００２９】
このシステムユニットは、サウンド制御回路５、通信制御回路４、入力制御回路３、大容量記憶装置制御回路２、および、表示手段制御回路６を制御および管理する。表示手段は、基本的には、ＳＶＧＡ型フラットスクリーン高解像度低放熱ノンインタレース方式ビデオモニター６２から構成される。これは、画像（例えば、選曲のためのアルバムカバー）を再生し、グラフィックおよびビデオクリップを表示するのに使用されるモニターである。
【００３０】
高速かつ大容量のＳＣＳＩ型ハードディスクを用いた記憶モジュール２１は、メモリー手段の一部を構成し、マイクロプロセッサ装置内にすでに存在しているメモリー手段に結合される。これらのモジュールは、オーディオビジュアル情報の記憶装置として使用される。
【００３１】
速度が２８．８ｋｂｐｓの高速通信モデムアダプタ４１が含まれ、ホストサーバによって制御されるオーディオビジュアル情報配信ネットワークとのリンクを確立する。
【００３２】
選曲されたオーディオ情報を再生するために、システムは、多くの入力源を受け入れるように設計されかつＣＤ（コンパクトディスク）型の音質を提供する拡声器５４を備え、例えば、サウンドカードなどのマイクロプロセッサマルチメディアオーディオアダプタのようなミュージックシンセサイザ型電子回路５に接続された同調増幅器５３からの信号が、この拡声器５４へ入力される。
【００３３】
オーディオビジュアル再生装置は、「最先端表面波技術」を用いたガラスコーティングパネルを含むタッチスクリーン３３と、ＡＴ型バスコントローラとを管理する入力コントローラ回路３を備える。このタッチスクリーンは、客が使用する様々な選択情報およびシステム管理者または所有者が使用する注文および管理のための制御情報を、ビデオモニターディスプレイ６２またはテレビスクリーン６１上で選択するのに使用されてもよい。このタッチスクリーンは、また、保守のために、システムに接続することのできる外部キーボード３４と組み合わせて使用され、システムは、そのために、インタフェース回路３を介してキーロック３２によって制御されるキーボードコネクタを備える。
【００３４】
さらに、料金支払装置３５が、入力インタフェース回路３に接続される。硬貨、チケット、通票（ｔｏｋｅｎ）、スマートカード、または、それらの支払手段の組み合わせによるあらゆる支払方法を受け入れることができれば、その他のどのような装置を使用してもよい。
【００３５】
システムは、スチールフレームまたはラックの中に据え付けられる。
【００３６】
これらの構成要素に加えて、コードレスマイクロホン５５が、オーディオコントローラ５に接続され、オーディオコントローラを、強力な拡声装置および放送装置に変え、場合によっては、カラオケ装置に変える。システムは、コードレス拡声器からなるシステムを使用してもよい。
【００３７】
装置内のオペレーティングソフトウェアは、マルチメディア分野におけるオーディオビジュアル領域のために特別に設計されたツールおよびサービスのライブラリを中心にして生成されたものである。このライブラリは、好都合には、複数のコードフラグメントを同時に実行するのを効率的に可能にする高性能マルチタスクオペレーティングシステムを含む。このオペレーティングソフトウェアによって、複数のコードフラグメントを並行に順序正しく実行することができるので、表示手段、オーディオ再生手段、および、配信ネットワークを介した通信リンクの管理手段で実行される動作がお互いに競合するのを避けるすることができる。さらに、このソフトウェアは、きわめて柔軟性がある。
【００３８】
オペレーティングシステムは、第１の起動モジュール７を含む複数のモジュールに分割され、この第１の起動モジュール７は、それ自身が、第１のメインプログラムモジュール「ＪＵＫ．ＥＸＥ」７０と、その第１のメインプログラムモジュール７０に動的にリンクされ、かつ、第１のメインプログラムモジュール７０に依存する第２のモジュール７１とに再分割され、第１のメインプログラムモジュール「ＪＵＫ．ＥＸＥ」７０は、メモリーを検査し、かつ、それぞれのオーディオビジュアル情報再生装置（１００．１〜１００．ｎ）を動作させるのに必要な最低限の数のオブジェクトが存在するかどうかを検査し、そして、第２のモジュール７１は、「ＪＵＫＥＣＯＲＥ．ＤＬＬ」モジュールからなる。この第２のモジュール７１の機能は、Ｃ言語ライブラリを含み、かつ、メインタスクを実行することである。
【００３９】
オペレーティングシステムのアーキテクチャは、様々なタスクを、動的リンクによってお互いに結合されたソフトウェアモジュールに、あるいは、オペレーティングシステムの他の部分との主依存リンクを提供する実行可能サブプログラムからなるソフトウェアモジュールに分散することからなる。それぞれのモジュールは、属性の中に記述されたいくつかの依存レベルに基づいて編成されたオブジェクトファイルまたは動的リンクライブラリからなる。オブジェクトまたはライブラリの属性は、以下でＰＡＲＳＥＲモジュールについて説明するように、オブジェクトファイルまたはライブラリのバージョン番号および他のオブジェクトファイルに対する依存関係を示す。それぞれの属性は、そのモジュールに割り当てられたレベルを示す。したがって、ＪＵＫ．ＥＸＥモジュール７０は、ＪＵＫＥＣＯＲＥ７１、ＴＬＳ７２、ＣＲＤＥ７３、ＧＦＸ７４、ＷＤＬＬ７５、ＪＥＥＰ９、ＴＥＬＥＣＯＭ１０などのモジュールよりもレベルが高く、しかも、ＴＥＬＥＣＯＭモジュール１０は、ＪＥＥＰモジュール９に依存し（リンク９１０を参照）、したがって、ＴＥＬＥＣＯＭ１０は、ＪＥＥＰ９よりも低いレベルにある。
【００４０】
同様に、ＪＥＥＰ９のレベル（リンク７５９を参照）は、ＷＤＬＬモジュール７５のレベルよりも低い。なぜなら、ＪＥＥＰ９は、ＷＤＬＬ７５に依存しているからであり、また、ＴＬＳ（リンク７２５）は、ＷＤＬＬ７５よりもレベルが高い。これに対して、ＴＬＳおよびＧＦＸは、レベルが同じであってもよい。メインタスクは、プログラムコアである「ＣＲＤＥ．ＤＬＬ」モジュール７３を初期化またはロードし、グラフィック管理モジュール（ＧＦＸ）７４を初期化またはロードし、ライブラリロードモジュール（ＷＤＬＬ．ＤＬＬ）７５を初期化またはロードし、通信タスクのテレコムモジュール（ＤＬＬ）１０をロードし、オーディオビジュアル情報再生装置（１００．１〜１００．ｎ）に必要な通信、時刻、暗号解読などのあらゆる処理を含むＴＬＳ．ＤＬＬモジュール７２をロードし、インテグリティサーバタスク、ロード要求タスク、および、サーバとの対話を実行するＪＥＥＰ（Ｊｕｋｅ  Ｅｘｅｃｕｔｉｏｎ  Ｅｘｃｈａｎｇｅ  Ｐｒｏｔｏｃｏｌ（ジューク実行交換プロトコル））プログラムのライブラリを初期化またはロードし、メインタスクとしてプログラム８０（ＳＩＬＯＡＤ．ＤＬＬ）を起動するように設計されたモジュール（ＪＵＫＥＣＯＲＥ）からなる。主要なジュークボックスアプリケーションタスクは、（ＷＤＬＬ）の中の必要な動的リンクライブラリのバージョンを検査し、それらをロードし、あるいは、ファイル転送を実行するためにテレコムタスクモジュールをコールするように設計されたローダープログラムライブラリを含むモジュール（ＳＩＬＯＡＤ．ＤＬＬ）からなる。ＷＤＬＬ．ＤＬＬモジュールは、（ＤＬＬ．ＤＥＦＡＵＬＴ）ファイルの中の操作に必要な最低限のバージョンに関するリストと、ライブラリ（ＬＩＢＲＡＲＹ）（ＤＬＬ、ＤＪＬ）かまたはオブジェクトファイル（ＤＪＯ）によって表現されるすべての機能に関するリストとからなる。それぞれのオブジェクトまたはライブラリは、オブジェクトまたはライブラリが必要とするすべての機能に関するリストと、バージョン番号および依存関係とを含む。ＷＤＬＬモジュールは、すべての新しいモジュールを管理し、お互いの依存関係を制御し、ダウンロードされたモジュールが異なる依存関係を有していないこと、および、要求されたバージョンでロードされたことを検査する。オーディオビジュアル情報再生装置（１００．１〜１００．ｎ）に固有のアプリケーション部分８は、ＳＩＬＯＡＤによってロードおよび実行されかつ以下の表示ウィンドウを定義する、いくつかのモジュールを備える。すなわち、
−マウス信号またはタッチスクリーン信号を処理するためのモジュール８１、
−オブジェクトと様々な他のモジュールとの間で交換されるメッセージを処理するためのモジュール８２、
−ディスクファイル管理モジュールＦＩＬ．ＤＪＬ８３、
−ディスクファイル読み出し／書き込みモジュールＦＩＬＩＯ．ＤＪＬ８４、
−タッチスクリーン、サウンドカード、硬貨投入装置処理インタフェースなどの機器によって生成されるすべてのイベントを監視するためのモジュールＪＳＴＲＵＣＴ．ＤＪＬ８５。
【００４１】
ＳＩＬＯＡＤは、端末タスクに固有のモジュール、すなわち、上に列挙したすべてのＤＪＬモジュールおよびジュークボックスライブラリモジュール８７をロードするのを管理する。ジュークボックスライブラリモジュール８７は、ミキサー（ｍｉｘｅｒ）および購入などのオブジェクトを管理するＷＯＢＪＥＣＴ８７０と、カーソル移動を管理するＷＣＵＲＳＯＲモジュール８７１と、データベースを管理するＤＢＭＡＰＩモジュール８７２と、あらゆる種類のフォントを管理するＷＦＯＮＴＳモジュール８７３と、スクリプトから開始して画面を解析および生成し、かつ、「ＧＲＡＭＭＡＲ．ＤＪＬ」モジュール８７６および言語内の単語の機能を割り当てる字句解析モジュールである「ＬＥＸＹ．ＤＪＬ」モジュール８７５を用いて文法を検査するＰＡＲＳＥＲモジュール８７４（構文解析プログラム）とを用いて構築される。ＰＡＲＳＥＲモジュール８７４は、それのファイルヘッダーに以下の情報を含む。すなわち、
0004460118.tif 000002
すべてのモジュールおよびすべてのライブラリ（ＤＪＯ、ＤＬＬ、ＤＪＬ）は、ＰＡＲＳＥＲモジュール内の情報に類似する情報を含み、この情報は、バージョンおよび依存関係において必要なものを決定する。
【００４２】
したがって、ＰＡＲＳＥＲモジュールは、ＬＥＸＹのバージョン４、ＧＲＡＭＭＡＲのバージョン５を必要とし、もしそれ以外のバージョンであれば、システムは、それを実行することができない。図４において様々なモジュールをお互いに接続する二重矢印は、様々なファイルがロードされる順序を示す。したがって、上述したように、まず最初に、ＪＵＫＥ．ＥＸＥをロードし、それに続いて、ＪＵＫＥＣＯＲＥ．ＤＬＬをロードしなければならず、それによって、ＪＵＫＥＣＯＲＥ．ＤＬＬからＧＦＸ．ＤＬＬ、ＴＬＳ．ＤＬＬ、ＷＤＬＬ．ＤＬＬ、ＪＥＥＰ．ＤＬＬ、ＴＥＬＥＣＯＭ．ＤＬＬ、ＣＲＤＥ．ＤＬＬ、および、ＳＩＬＯＡＤ．ＤＬＬをロードすることができる。
【００４３】
一重矢印は、ファイル間の依存関係を示す。したがって、矢印９１は、ＤＪＬファイル、具体的には、ＤＢＭＡＰＩが、ＣＲＤＥ．ＤＬＬに依存していることを示す。矢印９３は、ＤＪＯファイルが、ＷＯＢＪＥＣＴ．ＤＪＬモジュールに依存していることを示す。ＷＯＢＪＥＣＴ．ＤＪＬモジュール自身は、ＦＩＬＩＯ．ＤＪＬモジュールに依存している。矢印９２ａは、ＤＢＭＡＰＩ．ＤＪＬがＪＳＴＲＵＣＴ．ＤＪＬに依存していることを示し、矢印９２ｂは、ＤＢＭＡＰＩ．ＤＪＬがＷＭＥＳＳＡＧＥ．ＤＪＬに依存していることを示す。矢印９８は、ＪＳＴＲＵＣＴ．ＤＪＬがＷＭＥＳＳＡＧＥ．ＤＪＬファイルに依存していることを示す。ＷＭＥＳＳＡＧＥは、ＭＯＵＳＥ．ＤＪＬファイルに依存し、ＦＩＬＩＯ．ＤＪＬは、ＦＩＬ．ＤＪＬファイルに依存している。ＸＣＰ．ＤＪＬファイルは、矢印８５６によって示されるように、ＪＳＴＲＵＣＴ．ＤＪＬに依存し、また、矢印８２６によって示されるように、ＷＭＥＳＳＡＧＥ．ＤＪＬに依存している。ＪＨＡＮＤＬＥＲファイルは、矢印９７によって示されるように、ＷＭＥＳＳＡＧＥ．ＤＪＬに依存し、また、矢印９６によって示されるように、ＪＳＴＲＵＣＴ．ＤＪＬに依存している。ＳＩＬＯＯＰ．ＤＬＬファイルは、矢印９５によって示されるように、ＪＳＴＲＵＣＴ．ＤＪＬに依存し、また、矢印９４によって示されるように、ＷＭＥＳＳＡＧＥ．ＤＪＬに依存している。ＴＥＬＥＣＯＭ．ＤＬＬファイルは、矢印９１０によって示されるように、ＪＥＥＰ．ＤＬＬに依存し、ＪＥＥＰ．ＤＬＬは、矢印９５９によって示されるように、ＷＤＬＬ．ＤＬＬに依存している。ファイルＷＤＬＬ．ＤＬＬは、矢印７２５によって示されるように、ＴＬＳ．ＤＬＬに依存している。同様に、矢印８９ｃは、ＧＲＡＭＭＡＲ．ＤＪＬがＬＥＸＹ．ＤＬＬに依存していることを示し、矢印９９ｂは、ＬＥＸＹ．ＤＪＬがＰＡＲＳＥＲ．ＤＪＬＬに依存していることを示す。したがって、上述したように、ＰＡＲＳＥＲは、実行するのにＬＥＸＹおよびＧＲＡＭＭＡＲを必要とし、バージョン１のＰＡＲＳＥＲは、バージョン４のＬＥＸＹ．ＤＪＬおよびバージョン５のＧＲＡＭＭＡＲ．ＤＪＬを使用する。同様に、ＷＯＢＪＥＣＴ．ＤＪＬは、矢印９９ａによって示されるように、ＰＡＲＳＥＲ．ＤＪＬに依存している。したがって、すべてのモジュールと、すべての．ＤＪＯ、．ＤＬＬ、および、．ＤＪＬライブラリとは、所定のモジュールが依存する様々なモジュールのバージョン要件を定義するＰＡＲＳＥＲモジュール内の情報に類似する情報を含む。また、この情報は、図４に矢印で示されるように、モジュールの他のモジュールに対する依存関係を提供する。
【００４４】
さらに、ＳＩＬＯＡＤライブラリロードモジュールは、イベント待ちループであるＳＩＬＯＯＰ．ＤＬＬモジュール９０をロードまたは実行する。モジュール群８８は、ジュークボックス型端末モニター上のウィンドウ表示のウィンドウを管理するために含まれなければならないファイルのリストを含む。
【００４５】
このオブジェクトのリストは、以下のものから構成される。すなわち、
・モニター上のメインページを定義する「ＷＰＳＣＲＥＥＮ．ＤＪＯ」オブジェクトファイル８８３、
・利用可能な画面の数を決定するのに使用され、それによって、このメインページ上に複数のウィンドウまたは画面を表示する「ＷＳＣＲＥＥＮ」オブジェクトファイル８８１、
・それが画面上で使用する画像を決定および定義する「ＷＩＭＡＧＥ．ＤＪＯ」オブジェクトファイル８８０、
・画像が動画化される場合の動画を定義する「ＷＡＮＩＭ．ＤＪＯ」オブジェクトファイル８８２、
・ＰＣＴ出願第ＷＯ９６／１２２５８号に記載されるグラフィックインタフェースで使用される制御ボタンのようなメインページ画面上で使用されるボタンを定義および管理する「ＷＢＵＴＴＯＮ．ＤＪＯ」オブジェクトファイル８８５、
・オブジェクト上に書き込むのに使用されるラベルを生成する「ＷＬＡＢＥＬ．ＤＪＯ」オブジェクトファイル８８４、
・垂直方向にスクロールする表示領域を定義する「ＷＳＣＲＯＬＬＥＲ．ＤＪＯ」オブジェクトファイル８８６。
【００４６】
「ＪＨＡＮＤＬＥＲ」ライブラリは、画面の所定の使用法を定義するのに使用され、したがって、どのインタフェースが、上述のモジュールによって定義された様々なオブジェクトとのリンクを提供するかを決定する。
【００４７】
「ＸＣＰ」ライブラリ内のモジュール８６は、紙幣受領システム、または、硬貨またはスマートカード支払装置などの支払タスクを管理するのに使用され、また、ユーザの秘密コードを記憶するための集積回路であるＩＢＵＴＴＯＮの中に基本情報を保存するのにも使用される。
【００４８】
図１は、本発明によるシステムのブロック構成図を示す。従来技術によれば、それぞれのオーディオビジュアル再生装置（１００．１〜１００．ｎ）は、例えば、電話網３０に接続されたモデムのようなそれの通信手段を介して、ホストサーバ１０と通信を行う。このために、ホストサーバ１０は、例えば、電話網に接続された少なくとも１つのモデムのような通信手段１２１および１１１を備える。また、ホストサーバ１０は、それぞれのオーディオビジュアル情報再生装置（１００．１〜１００．ｎ）の操作に関するすべての情報、すなわち、オーディオビジュアル情報再生装置（１００．１〜１００．ｎ）の操作パラメータと、それの識別番号と、オーディオビジュアル情報再生装置（１００．１〜１００．ｎ）に記憶されている曲のリストと、オーディオビジュアル再生装置（１００．１〜１００．ｎ）の管理に責任を有するオペレータとを含むデータベース１１を備える。また、このデータベースは、それぞれのオーディオビジュアル情報再生装置（１００．１〜１００．ｎ）の使用、すなわち、かけられた曲のリストおよびそれぞれの曲がかけられた日付と、それぞれのオーディオビジュアル情報再生装置（１００．１〜１００．ｎ）の使用中に発生したすべての出来事のリストおよび日付、とりわけ、それのスイッチを入れたときに発生した出来事のリストおよび日付と、通信の中断と、入れられたお金を支払手段が拒絶した回数とに関する統計も含む。同様に、データベースは、ホストサーバメモリー手段１０内に記憶された利用可能な曲のリスト、これらの曲を再生するのに必要なオーディオビジュアル情報、および、オーディオビジュアル情報再生装置（１００．１〜１００．ｎ）ごとにオペレーティングシステムをインストールするのに必要な環境設定ツールを備える。データベース１１に含まれるすべての情報は、通信によって、電話網およびオーディオビジュアル情報再生装置（１００．１〜１００．ｎ）ごとのモデムおよびデータベースのモデムまたはホストサーバ１０のモデムを介したそれぞれのオーディオビジュアル情報再生装置（１００．１〜１００．ｎ）との例えば定期的な通信を行うことによって更新される。
【００４９】
ここで、図５および図６Ａ〜図６Ｆを参照して、本発明による管理システムで使用される例としてのデータベース１１について説明する。データベース１１内のこの情報のすべては、アレイの形態で記憶される。それぞれのアレイは、オーディオビジュアル情報再生装置（図１の１００．１〜１００．ｎ）のテーマ、構造、または、特定の機能に関する情報を含む。情報のそれぞれの項目は、データベース１１の中のアレイ内に含まれる引数によって識別される。一つのアレイ内の情報が、他のアレイにリンクされてもよい。少なくとも１つの引数が２つのアレイに共通する場合に、このリンクが確立される。
【００５０】
本発明によれば、データベース１１は、オーディオビジュアル情報再生装置（図１の１００．１〜１００．ｎ）に直接に関係する情報、例えば、それの動作状態（図６ＡのＪＵＫ＿ＳＴＡＴＵＳ）、それの識別番号（図６ＡのＪＵＫ＿ＩＤ）、または、利用可能メモリー空間（図６ＡのＪＵＫ＿ＡＶＡＩＬＡＢＬＥ＿ＳＰＡＣＥ）のような情報を表現する第１の少なくとも１つのアレイ群（図５、図６Ａ、および、図６Ｅの１１０１）を備える。アレイ（１１０１）内のそれぞれの行は、このアレイ内でそれの識別番号（図６ＡのＪＵＫ＿ＩＤ）によって識別されるオーディオビジュアル情報再生装置（図１の１００．１〜１００．ｎ）に関する情報を表現する。
【００５１】
この第１のアレイ群１１０１は、オーディオビジュアル情報再生装置（図１の１００．１〜１００．ｎ）を中心にして考えてもよいハードウェアおよびソフトウェア構成要素に関する情報を表現する、少なくとも１つの第２のアレイ群（図５、図６Ｂ、および、図６Ｄの１１０２）に関係する。この第２のアレイまたはこれらの複数の第２のアレイ（図５、図６Ｃ、および、図６Ｄの１１０２）は、とりわけ、プログラム定義テーブル（図６ＤのＰＲＯＧＲＭ＿ＤＥＦ）内に、名前（図６ＤのＰＧＤ＿ＮＡＭＥ）を備え、あるいは、構成要素テーブル（図６ＡのＣＯＭＰＯＮＥＮＴ）、構成要素定義テーブル（図６ＢのＣＯＭＰＯＮＥＮＴ＿ＤＥＦ）、構成要素アップグレードテーブル（図６ＢのＣＯＭＰＯＮＥＮＴ＿ＵＰＧＲＡＤＥ）、および、機器テーブル（図６ＢのＦＩＲＭＷＡＲＥ）内に、名前（図６ＢのＣＯＤ＿ＩＤ）、それぞれのソフトウェアまたはハードウェア構成要素のバージョン（図６ＢのＰＧＭ＿ＶＥＲＳＩＯＮ）、および、インストール日付（図６ＢのＰＧＭ＿ＲＥＬＥＡＳＥ＿ＤＴ）を備える。第２のアレイ（図６Ｂの１１０２）内のそれぞれのテーブルは、ソフトウェアまたはハードウェア構成要素に対応する。第２のアレイ群（図６Ｂの１１０２）内の少なくとも１つのテーブルと第１のアレイ群（図５および図６Ａの１１０１）との間のリンクは、オーディオビジュアル情報再生装置（図１の１００．１〜１００．ｎ）の番号を用いてなされる。したがって、このリンクを使用すれば、オーディオビジュアル情報再生装置番号（図１の１００．１〜１００．ｎ）を含むテーブルがないかどうか所定の番号によってそれぞれの第２のアレイ群内を探索することによって、オーディオビジュアル情報再生装置（図１の１００．１〜１００．ｎ）のすべてのソフトウェアおよびハードウェア構成要素を知ることができる。
【００５２】
また、第１のアレイ群（図５、図６Ａ、および、図６Ｃの１１０１）は、オーディオビジュアル情報再生装置（図１の１００．１〜１００．ｎ）の構成設定に関する情報を表現する第３のアレイ群（図６Ａおよび図６Ｃの１１０３のＪＵＫＥ＿ＸＸおよびＩＢ＿ＸＸＸ）に関係する。第３のアレイ群（図６Ａの１１０３）内の第１のグループのテーブル（ＩＢ＿ＸＸＸ）は、オーディオビジュアル情報再生装置（図１の１００．１〜１００．ｎ）のすべての操作パラメータを含み、第３のアレイ群１１０３内の第２のグループのテーブル（ＪＵＫＥ＿ＸＸＸ）は、それぞれのジュークボックスを、第３のアレイ群（１１０３のＩＢ＿ＸＸＸ）の中の第１のグループのパラメータのテーブルに含まれる所定のパラメータ群に関係づける。操作パラメータには、テーブル（図６ＡのＪＵＫ＿ＭＩＸＡＧＥ）内でジュークボックスごとに定義された増幅器の音量を制御するパラメータが含まれ、また、テーブル（図６ＡのＩＢ＿ＭＩＸＡＧＥ）内ですべてのジュークボックスに対して定義されたパラメータ、選曲ごとに支払われるべき料金（図６ＣのＩＢ＿ＴＵＮＥ＿ＣＯＳＴおよびＪＵＫ＿ＴＵＮＥ＿ＣＯＳＴ）に関するパラメータ、サーバ（図１の１０）との通信リンクパラメータ（図６ＣのＪＵＫ＿ＩＳＰ）、あるいは、もしあれば、オーディオビジュアル情報再生装置（図１の１００．１〜１００．ｎ）をリモート制御するための操作パラメータも含まれる。これらのパラメータは、テーブル（図６ＣのＪＵＫ＿ＲＥＭＯＴＥ＿ＣＯＮＴＲＯＬ）内でジュークボックスごとに定義され、すべてのジュークボックスに対するすべてのリモート制御操作パラメータは、テーブル（図６ＣのＩＢ＿ＲＥＭＯＴＥ＿ＣＯＮＴＲＯＬ）内で定義され、オーディオビジュアル情報再生装置（図１の１００．１〜１００．ｎ）は、そのたびに、第３のアレイ群１１０３内のテーブル（図６ＣのＪＵＫ＿ＴＵＮＥ＿ＣＯＳＴ、ＩＢ＿ＴＵＮＥ＿ＣＯＳＴ、ＪＵＫ＿ＲＥＭＯＴＥ＿ＣＯＮＴＲＯＬ、および、ＩＢ＿ＲＥＭＯＴＥ＿ＣＯＮＴＲＯＬ）に関係づけられる。テーブル内のそれぞれの行は、所定の番号（図６ＡのＪＵＫ＿ＩＤ）によって、オーディオビジュアル情報再生装置（図１の１００．１〜１００．ｎ）ごとの操作パラメータを記憶する。第１のアレイ群と第３のアレイ群１１０３との間のリンクは、例えば、オーディオビジュアル情報再生装置（図１の１００．１〜１００．ｎ）の識別番号を用いてなされてもよい。したがって、このリンクを用いることによって、サーバ１０は、決定されたオーディオビジュアル情報再生装置（図１の１００．１〜１００．ｎ）の番号（ＪＵＫ＿ＩＤ）を含むテーブルがないかどうかそれぞれの第３のアレイ群１１０３内を探索し、そして、検出基準に合致するパラメータ群がないかどうかそれらのテーブルの行内を探索することによって、所定の番号を備えたオーディオビジュアル情報再生装置（図１の１００．１〜１００．ｎ）のすべての操作パラメータを見つけ出すことができる。同様に、ジュークボックスからメッセージが受信されたとき、サーバは、第３のアレイ群１１０３に含まれる情報を更新することができる。これは、データベース内に含まれる情報を更新しなければならないかどうかを判定するために、ジュークボックスがサーバとの通信を開始するやいなや受信したメッセージを処理するサーバによってなされる。メッセージが物理的パラメータの変更に関する情報を含んでいれば、サーバは、新しいテーブルを追加し、あるいは、第３のアレイ群１１０３内の関係するテーブルの行の内容を変更することによって、供給された値に置き換える。
【００５３】
また、第１のアレイ群（図５および図６Ａの１１０１）は、オーディオビジュアル情報再生装置（図１の１００．１〜１００．ｎ）に記憶された曲に関する情報を表現する第４のアレイ群（図５および図６Ａの１１０４のＳＯＮＧ）にも関係する。それぞれの曲は、固有の番号（図６ＡのＣＬＴ＿ＩＤ）によって識別される。第４のアレイ群１１０４の中のテーブル内のそれぞれの行は、テーブルの先頭にあるオーディオビジュアル情報再生装置（図１の１００．１〜１００．ｎ）の番号（図６ＡのＪＵＫ＿ＩＤ）によって識別されるオーディオビジュアル情報再生装置（図１の１００．１〜１００．ｎ）に記憶された曲を表現する。ジュークボックスからメッセージが受信されると、サーバは、第４のアレイ群１１０４内に含まれる情報を更新することができる。これを実行するために、ジュークボックスがサーバとの通信を確立するやいなや、サーバは、受信メッセージを処理して、メッセージが曲のリストに特有の情報を含んでいるかどうかを判定し、データベース内に含まれる情報を更新する必要があるかどうかを決定する。メッセージが、ジュークボックス内に含まれる曲のリストの変更に関する情報を含んでいれば、サーバは、ジュークボックスがまだ登録されていなければ、新しいテーブルを追加し、あるいは、そのジュークボックスに対応するテーブル内の受信された変更に対応する行を変更、すなわち、１つまたは複数の曲を削除するか、あるいは、１つまたは複数の新しい曲を、ジュークボックスで利用可能な曲のリストに追加する。
【００５４】
曲識別番号（図６ＡのＣＬＴ＿ＩＤ）を介して第４のアレイ群（図６Ａの１１０４のＳＯＮＧ）に関係する第５のアレイ群（図６Ｂの１１０５のＣＡＴＡＬＯＧＵＥ）は、データベース内のそれぞれの曲の記述を備える。第５のアレイ群（図６Ｂの１１０５）内のそれぞれのテーブルは、データベース１１内の曲の記述を表現する。この第５のテーブル１１０５は、具体的には、曲が、オペレータの要求によって、オーディオビジュアル情報再生装置（図１の１００．１〜１００．ｎ）にダウンロード可能かどうかを決定するのに使用される。とりわけ、曲は、その曲をコピーおよび再生することに関する契約を結んでいなければ利用できない。これらの契約が結ばれていない場合、曲は、データベースに存在していても、ジュークボックスにダウンロードすることはできない。第１のアレイ群１１０１と第４のアレイ群１１０４との間のリンクは、オーディオビジュアル情報再生装置（図１の１００．１〜１００．ｎ）の番号（図６ＡのＪＵＫＥ＿ＩＤ）を介してなされる。したがって、サーバは、まず最初に、所定の番号によって、オーディオビジュアル情報再生装置（図１の１００．１〜１００．ｎ）に記憶されたすべての曲の識別番号（図６ＡのＣＴＬ＿ＩＤ）を決定することができる。そして、次に、サーバは、第４のアレイ群１１０４と第５のアレイ群１１０５との間のリンクを介して、それの番号（ＪＵＫ＿ＩＤ）によって決まるオーディオビジュアル情報再生装置（図１の１００．１〜１００．ｎ）に存在するいかなる曲の名前（図６ＢのＣＴＬ＿ＳＯＮＧ＿ＮＡＭＥ）をも具体的に決定することができる。
【００５５】
また、第４のアレイ群（図５および図６Ａの１１０４）は、特定のグループのテーブルによって決められる１つまたは複数の曲をダウンロードするのを禁止するために、オペレータが使用することのできるフィルタに関する情報を表現する第６のアレイ群（図６Ｂの１１０６）にも関係する。１つの曲（または、複数の曲）は、その１つの曲（または、複数の曲）の識別番号（図５および図６ＢのＦＬＴ＿ＣＡＴＡＬＯＧＵＥ）によって識別される特定のテーブルの第１のグループによって、その１つの曲（または、複数の曲）のアーティストの識別番号（図５および図６ＢのＦＬＴ＿ＡＲＴＩＳＴ）によって識別される特定のテーブルの第２のグループによって、その１つの曲（または、複数の曲）を出版した会社の識別番号（図５および図６ＢのＦＬＴ＿ＬＡＢＥＬ）によって識別される特定のテーブルの第３のグループによって、あるいは、その１つの曲（または、複数の曲）が属するカテゴリーの識別番号（図６ＢのＦＬＴ＿ＣＡＴＥＧＯＲＹ）によって識別される特定のテーブルの第４のグループによって識別される。第６のアレイ群１１０６内のテーブルのそれぞれのグループは、曲、アーティスト、ディスク出版社、または、カテゴリーに対する所定のフィルタを表現する。また、第６のアレイ群１１０６内のテーブルの１つ（図５および図６ＢのＪＵＫ＿ＦＩＬＴＥＲ）は、第１のアレイ群１１０１にもリンクされ、それぞれのテーブル（ＪＵＫＥＢＯＸ、１１０１）内の所定のジュークボックス識別子（ＪＵＫ＿ＩＤ）に対応するフィルタ識別番号（ＪＵＦ＿ＩＤ）によってそれぞれのジュークボックスに割り当てられたフィルタの記述（図６ＢのＪＵＫ＿ＤＥＳＣ）を備える。また、第１のアレイ１１０１は、フィルタ番号（ＪＵＦ＿ＩＤ）に対応する引数を含む。したがって、所定のジュークボックスのフィルタは、フィルタの（ＪＵＦ＿ＩＤ）を含む１つのテーブル（または、複数のテーブル）がないかどうか第６のアレイ群１１０６内を探索することによって定義される。同様に、オペレータは、同一のフィルタ番号を１つまたは複数のオーディオビジュアル情報再生手段（図１の１００．１〜１００．ｎ）に割り当てることができる。
【００５６】
さらに、第１のアレイ（図５および図６Ａの１１０１）は、オーディオビジュアル情報再生装置（図１の１００．１〜１００．ｎ）のオペレータに関する情報を表現する第７のアレイ（図６Ａの１１０７）に関係する。具体的には、この情報は、テーブル（図６ＡのＯＰＥＲＡＴＯＲ）内にオペレータ識別子（図６ＡのＯＰＥ＿ＩＤ）を備える。第８のアレイ群１１０８内のそれぞれのテーブルは、各所定のオペレータに対応する。第１のアレイ群１１０１と第８のアレイ群１１０８との間の関係は、オペレータの識別子と、（図６ＡのＯＰＥ＿ＩＤおよびＪＵＫ＿ＩＤの）組み合わせを含むテーブル（図６ＡのＪＵＫＥＢＯＸ＿ＬＯＣＡＴＩＯＮ）を通る経路（ｐａｓｓｅｓ）とを用いて生成されるので、装置に向かって逆に辿ることができる。したがって、この関係は、具体的には、特定のオペレータが管理に責任を有するオーディオビジュアル情報再生装置（図１の１００．１〜１００．ｎ）の番号を決定するのに役立つ。
【００５７】
さらに、第１のアレイ群（図６Ａの１１０１）は、オーディオビジュアル情報再生装置（図１の１００．１〜１００．ｎ）のログに関する情報を表現する第８のアレイ群（図６Ａおよび図６Ｅの１１０８）にも関係する。この情報は、実際には、それぞれのオーディオビジュアル情報再生装置（図１の１００．１〜１００．ｎ）で発生するすべてのイベントを表現し、具体的には、曲がかけられるたびに、情報が、ジュークボックスに入力され、第８のアレイ群（図６Ａの１１０８のＰＬＡＹ＿ＬＯＧ）内のテーブルに収容するために、それぞれのジュークボックスは、定期的に、それ自身がサーバ１０と連絡する。同様に、ある額のお金がオーディオビジュアル情報再生装置（図１の１００．１〜１００．ｎ）に投入されるたびに、新しい項目の情報が、ジュークボックスに入力され、この情報は、すべて、サーバ１０のデータベース１１内の第８のアレイ群に属する別のテーブル（図６ＡのＳＹＳＴＥＭ＿ＬＯＧ）内に収容される。具体的には、これらのテーブル内に収集された情報は、曲を歌っているアーティストに支払われるべき料金を計算するのに使用され、また、一日、一週間、または、所定の期間に、決められたオーディオビジュアル情報再生装置（図１の１００．１〜１００．ｎ）でどんな曲がかけられたかを正確に把握するのに使用される。例えば、料金計算に関する情報は、第８のアレイ群１１０８に関係する第９のアレイ群１１０９内にまとめられる。
【００５８】
さらに、第１のアレイ群（図５および図６Ａの１１０１）は、決められた少なくとも１つのオーディオビジュアル情報再生装置（図１の１００．１〜１００．ｎ）へ送信される命令に関する情報を表現する第１０のアレイ群（図６Ｆの１１１０）にも関係する。第１０のアレイ群（図６Ｆの１１１０）内の少なくとも１つのテーブル（図６ＦのＩＮＳＴＲＵＣＴＩＯＮ＿ＤＥＦ）は、命令の記述を備える。同様に、第１のアレイ群１１０１と第１０のアレイ群（図６Ｆの１１１０）との関係は、オーディオビジュアル情報再生装置（図１の１００．１〜１００．ｎ）の識別番号を用いてなされる。したがって、決められたオーディオビジュアル情報再生装置（図１の１００．１〜１００．ｎ）を対象にしたすべての命令を収集することができる。例えば、これらの命令は、オーディオビジュアル情報再生装置（図１の１００．１〜１００．ｎ）にインストールされた少なくとも１つのソフトウェア（図６ＦのＩＮＳ＿ＳＯＦＴＷＡＲＥ）を更新すること、オーディオビジュアル情報再生装置（図１の１００．１〜１００．ｎ）のオペレータによって注文された新しい曲（図６ＦのＩＮＳ＿ＣＡＴＡＬＯＧＵＥおよびＩＮＳ＿ＡＬＢＵＭ）をダウンロードすること、あるいは、オーディオビジュアル情報再生装置（図１の１００．１〜１００．ｎ）の操作パラメータ（図６ＦのＩＮＳ＿ＩＢＵＴＴＯＮ）を変更することであってもよい。第１１のテーブル１１１１内に記憶された命令が、サーバ１０との通信を確立したばかりのオーディオビジュアル情報再生装置（図１の１００．１〜１００．ｎ）によって、使用されるべきかどうかを検査するために、オーディオビジュアル情報再生装置（図１の１００．１〜１００．ｎ）がサーバ１０との通信を確立したとき、この第１０のアレイ群１１１０が、サーバ１０によって体系的に読み出される。
【００５９】
再び、図１に示される本発明によるシステムを参照すると、サーバは、さらに、「インターネット」サイトマネージャ１２を備える。「インターネット」サイトは、データベースからの情報を用いていくつかの画面を組み立てるのに使用され、それによって、オペレータは、例えばモデム２１および「インターネット」接続を備えたパーソナルＰＣコンピュータのようなコンピュータ２０を使用し、これらの画面内の利用可能な機能にアクセスすることができる。具体的には、まず第１に、データベース１１に記憶され、かつ、少なくとも１つのオーディオビジュアル情報再生装置（１００．１〜１００．ｎ）の操作に関係する情報を調べるために、第２に、少なくとも１つのオーディオビジュアル情報再生装置（１００．１〜１００．ｎ）のいくつかの設定を変更するために、そして、第３に、少なくとも１つのオーディオビジュアル情報再生装置（１００．１〜１００．ｎ）にある曲のリストを変更するために、様々な画面を使用することができる。
【００６０】
このことを実施するために、「インターネット」サイトマネージャ１２は、要求を用いて、データベース１１と通信を行い、それによって、画面に表示される情報は、データベース１１内の情報に対応する。第２に、サイトマネージャ１２によって送信される要求は、データベース１１内の情報を変更するために提供されてもよい。例えば、使用される要求は、ＳＱＬ言語で記述されたものである。
【００６１】
「インターネット」サイトマネージャ１２は、以下のように動作する。サイトマネージャ１２は、電話網に接続されたモデム１２１および１４１のような通信手段を介して、インターネットに特有のＴＣＰ／ＩＰ通信プロトコルを用いて、インターネットサービスプロバイダのサーバ１４と通信を行う。サービスプロバイダのサーバ１４によって、オペレータは、サイトマネージャ１２によって組み立てられた画面をオペレータのコンピュータ２０のモニター上に表示することができ、それは、オペレータが、サービスプロバイダのサーバ１４を介して、マネージャ１２に要求を送信することによってなされ、そして、そのサービスプロバイダのサーバ１４は、オペレータによって要求された画面または情報を表示するために、必要なメッセージを送信することによって、それに応答する。したがって、オペレータからの情報の要求は、まず最初に、サービスプロバイダのサーバ１４に転送され、そして、ホストサーバサイト１０のマネージャ１２に送信される。
【００６２】
オペレータが、サービスプロバイダのサーバ１４に送信された要求を通じて、「インターネット」サイトにアクセスするやいなや、図２に示される第１の画面２００が、オペレータのコンピュータモニター２０上に表示される。この画面２００の表示に先立って、サイトマネージャ１２は、データベース１１に問い合わせを送信する。この問い合わせは、サーバ１０によって管理されるすべてのオーディオビジュアル情報再生システム（１００．１〜１００．ｎ）の識別番号を要求することを含む。データベース１１は、この問い合わせを処理して、要求されたすべての識別番号のリストを送り返す。この処理は、オーディオビジュアル情報再生装置（１００．１〜１００．ｎ）のオーナーオペレータまたは賃借人が、要求を送信したオペレータの識別子に対応しているオーディオビジュアル情報再生装置（１００．１〜１００．ｎ）の識別番号を、第１のアレイ群１１０１内を見ることによって、探すことからなる。そして、マネージャ１２は、データベース１１から得られたリストを、例えばポップアップウィンドウであってもよい第１のウィンドウ２０１に表示することによって、第１の画面２００を組み立てる。同様に、第２のウィンドウ２０３が、ウェルカムメッセージ、および／または、例えばオペレータの住所およびオペレータが管理するジュークボックスの総数などのオペレータに関する情報を表示するのに使用されてもよい。そして、画面２００上の表示に関する情報が、サービスプロバイダのサーバ１４に送信され、そして、サービスプロバイダが、この情報をオペレータのコンピュータ２０に送信する。ホストサーバ１０とアクセス提供業者のサーバ１４との間のデータ転送、および、アクセス提供業者のサーバ１４とオペレータのコンピュータ２０との間のデータ転送は、例えば、モデム１２１、１４１、および、２１、サーバ１０および１４、および、コンピュータ２０を使用してもよい。そして、コンピュータ２０が受信した情報が、要求画面を表示するのに使用される。
【００６３】
次に、画面上でなされ、かつ、オペレータのコンピュータのモニター２０上に表示されるすべての選択操作または入力操作は、ＨＴＴＰプロトコルを用いて、ＴＣＰ／ＩＰネットワークを介したサービスプロバイダのサーバ１４、そしてサイトマネージャ１２への問い合わせに変換される。マネージャ１２は、受信した問い合わせへの応答を表現する画面を組み立てるために、例えばＳＱＬ言語で記述された１つまたは複数の問い合わせをデータベース１１に送信することによって、この問い合わせを処理することもある。そして、この画面は、ＨＴＴＰプロトコルを用いて、電話網３０およびサービスプロバイダのサーバ１４を介して、オペレータが所有するコンピュータモニター２０へ送り返される。
【００６４】
第１の画面２００の表示に先立って、オペレータを認証し、かつ、オペレータのアクセスを制限するために、図２Ｂに示される画面が表示されてもよい。この画面４１０は、少なくとも１つの入力領域４１１〜４１３を備え、その中に、オペレータは、パスワード４１２および／またはユーザ名４１１を入力することができる。さらに、この画面４１０は、オペレータによって入力された要素を含む識別問い合わせをサイトマネージャ１２へ送信するのを始動する選択領域４１４を備える。このサイトマネージャ１２は、まず最初に、入力要素と記憶された値とを比較して、オペレータによって入力された要素の信憑性を検査することによって、この要求を処理する。例えば、この検査は、オーディオビジュアル情報再生装置（図１の１００．１〜１００．ｎ）のオペレータ、貸借人、または、オーナーに関する第７のアレイ（図６Ａの１１０７）内に含まれる情報を選択して調べることによってなされてもよい。次に、サイトマネージャ１２は、オペレータ識別を含むデータベース１１へ問い合わせを送信し、それによって、データベース１１は、識別されたオペレータによって管理されるオーディオビジュアル情報再生装置（図１の１００．１〜１００．ｎ）のみの番号を収集する。
【００６５】
そして、オペレータは、例えば、マウスのようなポインタまたはオペレータの指を用いてタッチスクリーン上でウィンドウ２０１内の第１の画面２００を選択することによって、その画面２００を選択し、オペレータが調べたいかまたはオペレータが構成設定を変更したいオーディオビジュアル情報再生装置（図１の１００．１〜１００．ｎ）の１つの番号（または、複数の番号）を選択する。選択してしまえば、オペレータは、第１の画面２００内の第１の選択領域２０２を選択することによってか、または要求するジュークボックス番号をダブルクリックすることによって、その選択を確認する。
【００６６】
「インターネット」サイトマネージャ１２によって表示される第１の画面２００およびその他のあらゆる画面は、例えば上部に、ツールバー３００を含む。このツールバー３００は、いくつかの選択ボタン３０１〜３０８を備え、これらのボタンは、選択されると、上述したジュークボックス管理機能を実行するための専用の画面を表示するのを始動し、あるいは、現在の画面上で実行される操作の確認を開始する。この専用の画面は、第１の画面２００内の第１のウィンドウ２０９においてオペレータが選択した１つのジュークボックス（または、複数のジュークボックス）に応じて表示されることに注意されたい。
【００６７】
したがって、ツールバー３００内の選択ボタン３０１〜３０８のそれぞれは、サイトマネージャ１２へ送信され、そして、サイトマネージャ１２からデータベース１１へ送信されるそれぞれ異なる問い合わせを始動する。第１の選択ボタン３０１が押されたときに送信される問い合わせは、データベース１１によって処理され、選択されたジュークボックスの設置に関係のある、選択されたオーディオビジュアル情報再生装置（１００．１〜１００．ｎ）の設定が収集される。そして、この情報は、図２Ｃに示される第３の画面４００に表示される。この画面４００内の第１のウィンドウ４０１は、具体的には、そのジュークボックスの場所、ジュークボックスに責任を有する者の名前、および、ジュークボックスでかけられる音楽の種類を備える。例えば、音楽の種類は、「ロック」、「カントリ」、「リズム＆ブルース」、ラテン音楽、「ジャズ」、「オルタネイティブ」、あるいは、季節的な行事に関係のある音楽（例えば、クリスマスキャロル）であるかもしれない。第３の画面４００内の第２のウィンドウ４０２は、場所または管理者の名前を訂正または変更するのに使用することができる。そして、なされた変更の確認４０３またはキャンセル４０４のために、２つの選択フィールド４０３および４０４が使用される。確認フィールド４０３を選択することによって、サイトマネージャ１２は、問い合わせをデータベース１１に送信する。この問い合わせは、第３の画面４００上でオペレータによってなされた入力に応じて、データベース１１内のデータを更新するための変更問い合わせである。そして、データベース１２が、この問い合わせを受信すると、データベース１１も、更新された情報を含むファイルを生成する。
【００６８】
ツールバー３００の第２のボタン３０２を選択することによって、サイトマネージャ１２は、オペレータが選択したオーディオビジュアル情報再生装置（図１の１００．１〜１００．ｎ）にダウンロードされる少なくとも１つの曲を選択するのにオペレータが使用できる一組の画面を表示する。この一組の画面は、図２Ｄに示される第４の画面５００を備え、この画面５００によって、オペレータは、曲の種類を定義することができる。曲のカテゴリーは、例えばポインタを用いて、選択する曲の種類に対応する１つかまたはそれ以上の領域（５０１．１〜５０１．ｎ）を選択することによって選択される。第４の画面は、いくつかの第２のフィールド（５０５．１〜５０５．３）を含んでもよく、そのそれぞれは、選択される種類に対応した曲の分類基準を定義する。例えば、曲は、作曲家５０５．１、アルバム５０５．２、または、曲名５０５．３によって分類されてもよい。同様に、第３のフィールド５０６が、新しくデータベースに追加された曲だけを、さらにその他の選択基準をも満足する曲だけを、表示するのに使用されてもよい。別の方法として、第４のフィールド５０２が、１つまたは複数の単語を指定、選択、または、入力するのに使用されてもよく、その単語は、曲のデータベースを探索するのに使用され、そして、タイトル、アーティストの名前、または、アルバムのタイトルの中にその１つの単語（または、複数の単語）が含まれる曲を選択するのに使用される。
【００６９】
さらに、第４の画面５００は、確認を始動する選択領域５０３、および、オペレータによってなされた選択のキャンセルを始動する選択領域５０４を備え、データベース１１へ問い合わせを送信するサイトマネージャ１２を始動する。この問い合わせは、データベース１１によって処理され、データベースから得ることのできる、オペレータによってあらかじめ定義された選択基準に合致するすべての曲名が収集される。具体的には、利用可能な曲は、第５のアレイ群（図５の１１０５）内のテーブルを読み込むことによって決定される。そのようにして収集された曲名のリストは、サイトマネージャ１２に転送され、サイトマネージャ１２は、データベース１１内の利用可能な曲のリスト、すなわち、後でオーディオビジュアル情報再生装置（１００．１〜１００．ｎ）にダウンロードすることができ、かつ、オペレータによって選択された選択基準を満足する曲のリストをポップアップウィンドウ５０７の中に表示する。それぞれの曲ごとに、表示されるデータは、例えば、曲のタイトル、アーティストの名前、曲を取り出したアルバムのタイトル、および／または、曲識別番号であってもよい。例えば、曲は、要求された曲名をポイントしてそれを強調表示することによって、第１のウィンドウ内のリストの中から選択されてもよく、そして、強調表示された曲を選択したことが、第１の選択領域５０８をポイントすることによって確認される。この第１の選択領域５０８の選択は、例えば図２Ｅに示される第５の画面６００を表示するサイトマネージャ１２による手続を始動し、第５の画面６００は選択した曲の選択を確認できるよう表示される。この第５の画面６００は、例えば、選択された曲のタイトル６０１．１、アルバムのタイトル６０１．２、アーティストの名前６０１．３、および、その曲が属する音楽の種類６０１．４を表示するいくつかのフィールド（６０１．１〜６０１．４）を備えてもよい。第１のポップアップウィンドウ６０２は、オペレータ属するジュークボックスのリストを含む。このウィンドウ６０２は、フィールド（６０１．１〜６０１．４）によって識別される曲がダウンロードされるジュークボックスを選択するのに使用される。例えば、１つかまたはそれ以上のジュークボックスが、第１のウィンドウ６０２内でオペレータによって要求される１つのジュークボックス（または、複数のジュークボックス）の番号をポイントすることによって選択されてもよい。第１の選択領域６０３の選択は、ジュークボックスの選択を確認する手段であり、第２の選択領域は、再度、第４の画面を表示し、それによって、新しい曲を選択することができる。
【００７０】
別の方法として、オペレータの選択が確認されたときにデータベース１１に送信される問い合わせは、データベースによって処理され、オペレータの他のジュークボックスで、および／または、サーバによって管理されるすべてのジュークボックスでもっとも頻繁にかけられた上位の曲の名前が収集される。曲名は、また、オペレータによって指定または選択された基準に基づいて選択されてもよい。
【００７１】
データベース１１内のそれぞれの曲がかけられた回数を表現する情報が処理された後に、観賞されたオーディオまたはビジュアルフィルムの統計データを処理し営業所の種類またはカテゴリーを無視したあるいは営業所の種類またはカテゴリーを考慮した分類を決定するのに統計プログラムが使用されてもよく、それによって、類似するカテゴリーの営業所のオペレータに、分類に応じて定義されたリストを提供できる。したがって、決められた営業所のカテゴリーに属する営業所を担当するオペレータは、同じカテゴリー内の営業所の施設内に設置されたすべてのジュークボックスでもっとも頻繁にかけられた上位の曲のリストをそのオペレータの端末に表示するように要求することができる。限定はしないが、このように曲を選択するプログラムの具体例としては、Ｎｅｔ  Ｐｅｒｃｅｐｔｉｏｎ社から市販されている商品推奨ツールである。
【００７２】
第１の選択領域６０３を選択することによって、第１のポップアップウィンドウ６０２内で強調表示されるすべてのジュークボックスのためのフィールド（６０１．１〜６０１．４）に表示された曲を購入することの確認が始動され、マネージャ１２は、要求をデータベース１１に送信する。この問い合わせを処理することによって、オペレータによって選択された曲を同一オペレータによって選択されたオーディオビジュアル情報再生装置（１００．１〜１００．ｎ）で再生するのに必要なオーディオビジュアル情報を含むファイルが生成される。このファイルまたはそれに含まれる情報は、記憶され、そして、オーディオビジュアル情報再生装置（図１の１００．１〜１００．ｎ）がホストサーバ（図１の１０）との電話通信を確立するやいなや、更新に関係のあるオーディオビジュアル情報再生装置（図１の１００．１〜１００．ｎ）にダウンロードされる。このファイルまたは情報をオーディオビジュアル情報再生装置（図１の１００．１〜１００．ｎ）にダウンロードすることによって、オーディオビジュアル情報再生装置（図１の１００．１〜１００．ｎ）で利用可能な曲のリストが更新され、また、ファイルに含まれるオーディオビジュアル情報に対応した曲を、それらのオーディオビジュアル情報再生装置（図１の１００．１〜１００．ｎ）で再生することが可能になる。例えば、このファイルに対応する情報は、データベース１１の中の第１０のアレイ群（図６Ｃの１１１０）内のテーブルの１つに含まれる。オーディオビジュアル情報再生装置（図１の１００．１〜１００．ｎ）がサーバ１１との通信を次に確立したときに、サーバは、第１０のアレイ群（図６Ｃの１１１０）内のテーブルを検査して、命令が、関係のあるオーディオビジュアル情報再生装置（図１の１００．１〜１００．ｎ）を対象にしたものかどうかを確かめる。もしそうであれば、サーバ１０は、そのジュークボックスに関連のある第１０のアレイ群（図６Ｃの１１１０）内の対応するテーブルに含まれる情報からコマンドファイルを組み立て、そして、サーバ１０は、このファイルをそのオーディオビジュアル情報再生装置（図１の１００．１〜１００．ｎ）にダウンロードする。
【００７３】
本発明のもう１つの別の実施形態においては、オペレータによって注文された曲は、オペレータによって選択された１つのオーディオビジュアル情報再生システム（または、複数のオーディオビジュアル情報再生システム）に直接にダウンロードされるのではなく、ＣＤ−ＲＯＭのような記録可能な光学的媒体に書き込まれる。したがって、ＣＤ−ＲＯＭは、オペレータによって選択された曲に対応するオーディオビジュアル情報を記録される。本発明によるシステムは、このためのＣＤ−ＲＯＭ書き込みシステム（図示しない）を備える。ＣＤ−ＲＯＭに書き込んでしまえば、その後、そのＣＤ−ＲＯＭは、例えば郵便によって、オペレータへ送られ、オペレータは、それを使用して、そのオペレータが管理するオーディオビジュアル情報再生装置（図１の１００．１〜１００．ｎ）を更新することができる。ＣＤ−ＲＯＭがコピーされる回数を制限するために、書き込まれた情報は、コピーすることを承認されたオーディオビジュアル情報再生装置（図１の１００．１〜１００．ｎ）の識別番号を備える。それぞれのオーディオビジュアル情報再生装置（図１の１００．１〜１００．ｎ）はＣＤ−ＲＯＭ再生装置がインストールされていなければ、ＣＤ−ＲＯＭを使用することはできない。ＣＤ−ＲＯＭに含まれる情報をコピーする操作において、オーディオビジュアル情報再生装置（図１の１００．１〜１００．ｎ）内のオペレーティングシステムは、ＣＤ−ＲＯＭに含まれる識別番号とオーディオビジュアル情報再生装置（図１の１００．１〜１００．ｎ）の識別番号とを比較する。これらの番号が一致すれば、コピーがなされる。一致しなければ、コピーは拒絶され、そのオーディオビジュアル情報再生装置（図１の１００．１〜１００．ｎ）は、例えば、それ自身がサービスできない状態にされ、問題を解決するために、サーバ１０との通信を確立してもよい。曲をダウンロードするかまたは曲をＣＤ−ＲＯＭに記録するかの選択は、オペレータが曲を選択したことをそのオペレータが確認した後に、第７の画面上の第４の選択フィールド（図示しない）を選択することによってか、または、特別の画面（図示しない）を表示することによってなされる。したがって、この画面は、ダウンロードするかまたはＣＤ−ＲＯＭにコピーするかを選択するのに使用される少なくとも１つの選択領域を備える。いずれの場合においても、曲は、ＭＰＥＧ形式に圧縮され、暗号化され、そして、それらの曲が、オーディオビジュアル情報再生装置でかけられるまでは、暗号化されたままである。
【００７４】
ＣＤ−ＲＯＭにコピーするのは、オペレータがきわめて多数の曲を購入したい場合、および、オペレータがそれらの曲をいくつかのオーディオビジュアル情報再生装置（図１の１００．１〜１００．ｎ）にコピーしたい場合に、とりわけ有効である。大量の情報をダウンロードするのは、きわめて長い時間がかかることがあり、そのために、電話通信のための費用が高くつく。さらに、通信に長い時間を要する場合、中断する可能性が増大し、その結果として、ダウンロードの全部または一部をやりなおさなければならない。さらに、この種の処理は、オペレータとして行動する個人のために使用してもよく、ダウンロードによってかまたは書き込まれたＣＤ−ＲＯＭによって注文し、再生装置と関連する個人の識別子に基づいて暗号化されたままのオーディオビジュアルトラックの選択結果を手に入れることができ、それらのトラックは、家庭用装置でそれらが再生される場合にしか再生および暗号解読することができず、そのような家庭用装置は、本出願人によって出願された国際特許出願第ＷＯ９６／１２２５９号に記載されており、家庭用装置またはトラックを暗号解読するための関連装置に記憶された識別子を用いた暗号解読手段を備える。
【００７５】
ＣＤ−ＲＯＭは、例えば半導体による、例えば固体電子メモリーのような、それに同等かまたはそれ以上の容量を有する持ち運び可能な、どのような磁気記録媒体または光学記録媒体に置き換えてもよい。
【００７６】
同様に、上述の処理によれば、新しいジュークボックスが設置されるのに先立って、オペレータは、オペレータによって選択された必要な曲のリストがあらかじめ選択されたハードディスクをあらかじめ生成しておくこともできる。ジュークボックスが設置されると、すべての選択された曲を含むハードディスクが、ジュークボックスにインストールされ、ジュークボックスおよびこのジュークボックスで利用可能な曲のリストのための大容量メモリー手段を形成する。
【００７７】
ツールバー３００の第３のボタン３０３を選択することによって、問い合わせが、「インターネット」サイトマネージャ１２へ送信される。この問い合わせは、第３の選択ボタン３０３が選択されたときに送信され、そして、データベース１１によって処理され、オペレータによって選択されたジュークボックスの使用に関する情報に関係のあるオーディオビジュアル情報再生装置（図１の１００．１〜１００．ｎ）の選択されたパラメータが収集される。この情報は、図２Ｆに示される画面７００内の一組のフィールド（７０１．１〜７０１．７）の中に表示される。例えば、第１のフィールド７０１．１は、ジュークボックスから最後にコールされたときの日付を示す。第２のフィールド７０１．２は、ジュークボックスから最後にコールされたときの実行状態、すなわち、コールが首尾よく完了したかどうかを示す。第３のフィールド７０１．３は、もしあれば、ジュークボックスの硬貨投入装置の動作状態を示す。第４のフィールド７０１．４は、硬貨投入装置の拒絶率を示す。第５のフィールド７０１．５は、もしあれば、ジュークボックス紙幣挿入装置の動作状態を示す。第６のフィールド７０１．６は、紙幣挿入装置の拒絶率を示す。第７のフィールド７０１．７は、ジュークボックスの最後の保守作業または更新操作の日付を示す。
【００７８】
第６の画面上の第１のポップアップウィンドウ７０２は、ジュークボックスにダウンロードされるべき曲のリストを表示する。第１の選択領域７０３を選択することは、オペレータによって選択されたリスト内の１つまたは複数の曲を削除する手段である。第６の画面上の第２のポップアップウィンドウ７０４は、ジュークボックスで利用可能な曲のリストから削除されるべき曲のリストを表示する。第２の選択領域７０５を選択することによって、オペレータが以前に選択した１つまたは複数の曲を削除する操作がキャンセルされる。第６の画面７００内の第１および第２のポップアップウィンドウ７０２および７０４に表示された曲のリストを生成するのに使用されるすべての情報は、「インターネット」サイトマネージャ１２によって、サーバ１０のデータベース１１内で収集される。
【００７９】
さらに、「インターネット」サイトマネージャ１２は、オーディオビジュアル情報再生装置（図１の１００．１〜１００．ｎ）の利用統計に関する情報も表示する。例えば、この表示は、ツールバー３００の第４のボタン３０４を選択することによって始動される。第４のボタン３０４を選択することによって、サイトマネージャ１２は、問い合わせをデータベースへ送信する。この問い合わせは、利用統計に関する情報についてデータベース１１に質問する。データベース１１は、選択された領域に対応する種類の情報を収集することによって、この要求を処理する。収集された情報は、それぞれが情報の種類に対応するいくつかのフィールド（８０１．１〜８０１．３）を備えた、図２Ｇに示される第７の画面８００に表示される。限定はしないが、例として、第１のフィールド８０１．１は、ジュークボックスの硬貨投入装置および／または紙幣挿入装置が最後に初期化されたときの日付に対応する。第２のフィールド８０１．２は、それが最後に初期化されてからジュークボックスに投入された金額を示す。第３のフィールド８０１．３は、現在の週内に、ジュークボックスに投入された金額を示す。（例えば）ジュークボックスで頻繁にかけられた上位１００曲のリストが、第７の画面８００内の第１のポップアップウィンドウ８０２に表示される。（例えば）ジュークボックスで頻繁にかけられなかった下位１００曲のリストが、第２のポップアップウィンドウ８０３に表示される。第１の選択領域８０４は、第２のウィンドウ８０３内で以前に選択された曲の削除を確認するのに使用される。オペレータは、オペレータが削除しようとした曲の選択をキャンセルするのに第２の領域８０５を使用することができる。第１の領域１０４を選択することによって、曲を削除するためにオペレータによってなされたすべての選択を確認することが始動され、そして、サイトマネージャ１２が、データベース１１に要求を送信する。これは、第７の画面８００上でオペレータによってなされた選択に基づいてデータベース１１内のデータを更新しようとする変更問い合わせである。この問い合わせをデータベース１２が受信すると、データベース１１は、この場合も、更新情報を含むファイルを生成する。このファイルまたはこのファイルに含まれる情報は記憶され、この更新に関係のあるオーディオビジュアル情報再生装置（図１の１００．１〜１００．ｎ）に、それがホストサーバ１０との電話通信を確立するやいなやダウンロードされる。このファイルまたはこの情報をオーディオビジュアル情報再生装置（図１の１００．１〜１００．ｎ）にダウンロードすることによって、オペレータの選択に沿って、関係のあるオーディオビジュアル情報再生装置（図１の１００．１〜１００．ｎ）で利用可能な曲のリストが更新される。例えば、このファイルに対応する情報は、データベース１１の中の第４のアレイ群（図６Ｃの１１１０）内のテーブルの１つに含まれる。関係のあるオーディオビジュアル情報再生装置（図１の１００．１〜１００．ｎ）が、最初に、サーバ１０との通信を確立したとき、サーバは、第１０のアレイ群（図６Ｃの１１１１）内のテーブルを検査し、命令が、関係のあるオーディオビジュアル情報再生装置（図１の１００．１〜１００．ｎ）を対象にしたものかどうかを確認する。もしそうであれば、サーバ１０は、対応する第１０のアレイ群（図６Ｃの１１１０）内のテーブルに含まれる情報を用いて、コマンドファイルを組み立て、そして、サーバ１０は、このファイルをオーディオビジュアル情報再生装置（図１の１００．１〜１００．ｎ）へダウンロードする。
【００８０】
削除されるべき曲が、オーディオビジュアル情報再生装置（図１の１００．１〜１００．ｎ）のメモリー手段から消去される。
【００８１】
ツールバー３００の第５のボタン３０５が選択されたときに送信される問い合わせは、データベース１１によって処理され、オーディオビジュアル情報再生装置（図１の１００．１〜１００．ｎ）のユーザが支払うべき金額に関係のあるオーディオビジュアル情報再生装置（図１の１００．１〜１００．ｎ）から選択されたパラメータが収集され、それによって、ユーザは、オーディオビジュアル情報再生装置（図１の１００．１〜１００．ｎ）で少なくとも１つの曲を選択することができる。同様に、ジュークボックスの音量調整パラメータが収集されてもよい。そして、これらのパラメータは、サイトマネージャ１２へ送信され、そして、サイトマネージャ１２は、いくつかの入力領域（９０１、９０２、９１１Ｉ、９１２Ｉ、９１３、９１４）を含む、図２Ｈに示される第８の画面９００を生成する。第１の領域群９０１は、所定の回数だけ曲を選択するのに支払わなければならない金額に相当する料金を表示するのに使用される。この回数は、第２の領域群９０２の中の１つの領域に表示される。オペレータは、適切な入力領域の中をポイントすることによって、曲のそれぞれの金額およびそれぞれの回数を変更することができる。第８の画面９００は、さらに、オペレータが、音量を指定、選択、または、入力することのできる第３の入力領域（９１１．１〜９１１．３）と、オペレータが、ジュークボックスのバスおよびトレブルを制御することのできる第４の入力領域（９１２．１〜９１２．３）とを備える。第５の領域９１３は、ジュークボックスとともに使用してもよいマイクロホンを動作状態または非動作状態にするのに使用され、第６の領域９１４は、オペレータが、マイクロホンの音量を指定、選択、または、入力するのを可能にする。最後に、第７の領域９１５は、補助音源を動作状態または非動作状態にするのに使用され、第８の領域９１６は、この音源の音量を選択、指定、または、入力するのに使用される。
【００８２】
オペレータは、例えば、第１のボタン９２０を選択することによって、オペレータが入力したものすべてを確認してもよく、あるいは、オペレータは、第２のボタン９２１を選択することによって、オペレータが入力したものをキャンセルしてもよい。第１のキャンセルボタン９２０を選択することによって、オペレータによってなされたすべての指定、選択、または、入力がキャンセルされ、そして、オペレータは、新しいパラメータを指定、選択、または、入力することができる。第２の確認ボタン９２１を選択することによって、サイトマネージャ１２は、データベース１１へ問い合わせを送信する。この問い合わせは、変更を要求するものであり、第８の画面９００でオペレータによってなされた入力に基づいて、データベース１１内のデータを更新する。データベース１２がこの問い合わせを受信すると、この場合にも、更新情報を含むファイルが、データベース１１内に生成される。このファイルまたはこのファイルに含まれる情報は、記憶され、そして、その更新に関係のあるオーディオビジュアル情報再生装置（図１の１００．１〜１００．ｎ）に、その装置がホストサーバ１０との電話通信を確立するやいなやダウンロードされる。このファイルまたはこの情報をオーディオビジュアル情報再生装置（図１の１００．１〜１００．ｎ）にダウンロードすることによって、オペレータの指定に基づいて、関係のあるオーディオビジュアル情報再生装置（図１の１００．１〜１００．ｎ）の特定の機能の状態が更新される。このファイルに対応する情報は、例えば、データベース１１の中の第１０のアレイ群（図６Ｆの１１１０）内のテーブルの１つに含まれてもよい。関係のあるオーディオビジュアル情報再生装置（図１の１００．１〜１００．ｎ）が、サーバ１０と次に通信するときに、サーバは、第１０のアレイ群（図６Ｆの１１１１）内のテーブルを検査し、命令が、関係のあるオーディオビジュアル情報再生装置（図１の１００．１〜１００．ｎ）を対象にしたものかどうかを確認する。もしそうであれば、サーバ１０は、第１０のアレイ群（図６Ｆの１１１０）内の対応するテーブルに含まれる情報から開始してコマンドファイルを組み立て、そして、サーバは、このファイルをオーディオビジュアル情報再生装置（図１の１００．１〜１００．ｎ）へダウンロードする。
【００８３】
１つの異なる実施形態においては、ツールバー３００の第６のボタン３０６を選択することによって、現在の接続中にオペレータによってなされたすべての変更を要約するのに使用される第９の画面１０００が表示される。これを実行するために、第９の画面１０００は、なされたすべての変更を、例えば、それぞれのジュークボックスごとに個々に表示する表示ウィンドウ１００１を備える。したがって、オペレータは、その変更をオペレータの要求と確実に一致させることができる。この画面１０００は、変更をキャンセルするのに使用される第１の選択領域１００２と、変更を確認するのに使用される第２の選択領域１００３とを備える。この異なる実施形態においては、「インターネット」サイトマネージャ１２に送信されるすべての問い合わせは、この最終的な確認の中で送信され、上述したようなそれぞれの画面で特定の領域を選択しているときに送信されることはない。
【００８４】
ツールバー３０の第７のボタン３０７を選択することによって、サイトマネージャ１２は、データベース１１に問い合わせを送信する。これは、データベース１１によって処理される質問問い合わせであり、選択されたオーディオビジュアル情報再生装置（図１の１００．１〜１００．ｎ）の特定の機能の動作状態および非動作状態に関する情報が収集される。例えば、この情報は、データベース１１の少なくとも１つの第３のアレイ群（図６Ｂおよび図６Ｃの１１０３）内に収集される。この情報が収集されてしまえば、データベース１１は、サイトマネージャ１２からの問い合わせに応答し、そして、サイトマネージャ１２は、オーディオビジュアル情報再生装置（図１の１００．１〜１００．ｎ）の特定の機能を動作状態または非動作状態にするのを制御するのに使用されるいくつかの入力領域（１０１１．１〜１０１１．５）を含む、図２Ｊに示される第１０の画面１０１０を組み立てる。第１の機能は、リモート制御を使用して、オーディオビジュアル情報再生装置（図１の１００．１〜１００．ｎ）の動作を制御することを承認するかどうかを決定することからなる。第２の機能は、現在かけられている曲をスキップすることを承認し、あるいは、承認しないことからなる。第３の機能は、同じ曲を何度も反復することを承認し、あるいは、承認しないことからなる。第４の機能は、オーディオビジュアル情報再生装置（図１の１００．１〜１００．ｎ）で無条件信用（ｆｒｅｅ  ｃｒｅｄｉｔ）を使用することを承認し、あるいは、承認しないことからなる。
【００８５】
オペレータは、入力領域（１０１１．１〜１０１１．５）の表示を変更することによって、それぞれの機能の状態を変更することができる。第１０の画面１０１０は、さらに、なされた変更をキャンセルする領域１０１３と、なされた変更を確認して、サイトマネージャ１２に変更要求をデータベース１１へ送信させる選択領域１０１２とを含む。データベース１２が、この要求を受信すると、オーディオビジュアル情報再生装置（図１の１００．１〜１００．ｎ）の特定の機能の状態に関する情報が更新され、さらにまた、データベース１１は、更新情報を含むファイルを生成する。このファイルおよびそのファイルに含まれる情報は記憶され、その更新に関係のあるオーディオビジュアル情報再生装置（図１の１００．１〜１００．ｎ）に、そのオーディオビジュアル情報再生装置がホストサーバ１０との電話通信を確立するやいなやダウンロードされる。このファイルまたは情報をオーディオビジュアル情報再生装置（図１の１００．１〜１００．ｎ）にダウンロードすることによって、オーディオビジュアル情報再生装置（図１の１００．１〜１００．ｎ）の特定の機能の状態が、オペレータの選択に基づいて更新される。例えば、このファイルに対応する情報は、データベース１１の中の第１０のアレイ群（図５の１１１０）内のテーブルの１つに含まれる。オーディオビジュアル情報再生装置（図１の１００．１〜１００．ｎ）が、サーバ１１との通信を次に確立したとき、このサーバは、第１０のアレイ群（図６Ｆの１１１０）内のテーブルを検査し、命令が、関係のあるオーディオビジュアル情報再生装置（図１の１００．１〜１００．ｎ）を対象にしたものかどうかを確認する。もしそうであれば、サーバ１０は、第１０のアレイ群（図６Ｃの１１１０）内の対応するテーブルに含まれる情報から開始してコマンドファイルを組み立て、そして、サーバ１０は、このファイルを、関係のあるオーディオビジュアル情報再生装置（図１の１００．１〜１００．ｎ）にダウンロードする。
【００８６】
ツールバー３００の第８のボタン３０８を選択することによって、サイトマネージャ１２は、第１１の画面（図示しない）を表示する。この第１１の画面は、すべてのまたは一部の選択されたオーディオビジュアル情報再生装置（１００．１〜１００．ｎ）の基本構成設定を定義するためにオペレータが使用するいくつかのウィンドウを備える。具体的には、様々な領域が使用されることによって、オーディオビジュアル情報再生装置（図１の１００．１〜１００．ｎ）上で表示されるグラフィックインタフェースの種類が定義され、また、例えば、オーディオビジュアル情報再生装置（図１の１００．１〜１００．ｎ）とサーバ１０との間で通信を行うために、オーディオビジュアル情報再生装置（図１の１００．１〜１００．ｎ）のモデムが使用可能になる時刻などの、選択されたオーディオビジュアル情報再生システム（図１の１００．１〜１００．ｎ）にデフォルトによりインストールされる操作パラメータが定義される。さらに、第１１の画面は、第１１の画面に入力された情報を確認し、ファイルを生成し、そして、要求をサイトマネージャ１２からデータベース１１へ送信するのを始動する選択領域も備える。この要求は、第１１の画面でオペレータによって入力されたすべての情報を含む。データベース１１がこの要求を処理すると、更新ファイルが生成される。このファイルまたはこれに含まれる情報は記憶され、その更新に関係のあるオーディオビジュアル情報再生システム（図１の１００．１〜１００．ｎ）に、そのオーディオビジュアル情報再生システムがホストサーバ１０との通信を確立するやいなやダウンロードされる。同様に、このファイルまたは情報は、オーディオビジュアル情報再生装置（図１の１００．１〜１００．ｎ）がホストサーバ１０と最初に通信を始めたときに、このオペレータによって管理される新しいオーディオビジュアル情報再生装置（図１の１００．１〜１００．ｎ）にダウンロードされる。このファイルまたは情報をオーディオビジュアル情報再生装置（図１の１００．１〜１００．ｎ）にダウンロードすることによって、第１１の画面でオペレータによって定義された構成設定に沿って、オーディオビジュアル情報再生装置（図１の１００．１〜１００．ｎ）の構成設定および操作パラメータが更新される。例えば、このファイルに対応する情報は、データベース１１の第１０のアレイ群（図６Ｆの１１１０）の中の１つに含まれてもよい。オーディオビジュアル情報再生装置（図１の１００．１〜１００．ｎ）がサーバ１１と次に通信を開始したときに、このサーバは、第１０のテーブル（図１の１００．１〜１００．ｎ）を読み込み、命令が、そのオーディオビジュアル情報再生装置（図５の１１１０）を対象にしたものかどうかを判定する。もしそうであれば、サーバ１０は、対応する第１０のアレイ（図６Ｃの１１１０）内に含まれる情報を使用してコマンドファイルを組み立て、そして、サーバ１０は、このファイルをオーディオビジュアル情報再生装置（図１の１００．１〜１００．ｎ）にダウンロードする。
【００８７】
第１の画面２００が表示されているときに、オペレータが、いくつかのオーディオビジュアル情報再生システム（図１の１００．１〜１００．ｎ）を選択すると、上述した画面が、選択されているそれぞれのオーディオビジュアル情報再生装置（図１の１００．１〜１００．ｎ）ごとに表示されるか、あるいは、更新操作が、選択されているすべてのオーディオビジュアル情報再生システム（図１の１００．１〜１００．ｎ）に対して適用される。例えば、可能なこれらの方法のどれを選択するかは、確認されたばかりの更新が適用されるべきオーディオビジュアル情報再生装置（１００．１〜１００．ｎ）の番号を入力するようにオペレータに要求する補足的な画面（図示しない）を表示することによってなされてもよい。
【００８８】
一般に、オーディオビジュアル情報再生装置（１００．１〜１００．ｎ）の管理操作、または、「インターネット」サイトマネージャ１２によって表示される様々な画面を介してなされるオーディオビジュアル情報再生装置（１００．１〜１００．ｎ）の使用に関する情報を表示するための操作は、少なくとも、それぞれのオーディオビジュアル情報再生装置（図１の１００．１〜１００．ｎ）で利用可能な管理操作および表示操作に対応する。
【００８９】
本発明によるシステムが、オーディオビジュアル情報再生装置（図１の１００．１〜１００．ｎ）でオペレータによって実行されるすべての管理および構成設定操作に役立つことは容易に理解できる。オペレータは、それぞれのオーディオビジュアル情報再生装置（図１の１００．１〜１００．ｎ）が配置されたサイトにもはや足を運ばなくてもよい。同様に、オペレータが、いくつかのオーディオビジュアル情報再生システム（図１の１００．１〜１００．ｎ）を同時に管理する場合、オペレータは、１回の操作で、そのオペレータのすべてまたは一部のオーディオビジュアル情報再生システム（１００．１〜１００．ｎ）を再構成設定することができる。
【００９０】
この分野に精通する者は、本発明の範囲を逸脱することなく、その他の変更を実施できることは明らかである。
【図面の簡単な説明】
【図１】本発明によるシステムのブロック構成図である。
【図２Ａ】「インターネット」サイト上の画面の具体例を示す図である。
【図２Ｂ】「インターネット」サイト上の画面の具体例を示す図である。
【図２Ｃ】「インターネット」サイト上の画面の具体例を示す図である。
【図２Ｄ】「インターネット」サイト上の画面の具体例を示す図である。
【図２Ｅ】「インターネット」サイト上の画面の具体例を示す図である。
【図２Ｆ】「インターネット」サイト上の画面の具体例を示す図である。
【図２Ｇ】「インターネット」サイト上の画面の具体例を示す図である。
【図２Ｈ】「インターネット」サイト上の画面の具体例を示す図である。
【図２Ｉ】「インターネット」サイト上の画面の具体例を示す図である。
【図２Ｊ】「インターネット」サイト上の画面の具体例を示す図である。
【図３】オーディオビジュアル再生装置の具体例を示す図である。
【図４】オーディオビジュアル再生装置のオペレーティングシステムにおけるライブラリモジュールとオブジェクトモジュールとの関係を説明する論理図の具体例を示す図である。
【図５】本発明によるシステムによって使用されるデータベースの構造を説明する簡単化されたフローチャートである。
【図６Ａ】本発明によるシステムによって使用されるデータベースの構造を説明する詳細なフローチャートである。
【図６Ｂ】本発明によるシステムによって使用されるデータベースの構造を説明する詳細なフローチャートである。
【図６Ｃ】本発明によるシステムによって使用されるデータベースの構造を説明する詳細なフローチャートである。
【図６Ｄ】本発明によるシステムによって使用されるデータベースの構造を説明する詳細なフローチャートである。
【図６Ｅ】本発明によるシステムによって使用されるデータベースの構造を説明する詳細なフローチャートである。
【図６Ｆ】本発明によるシステムによって使用されるデータベースの構造を説明する詳細なフローチャートである。
【符号の説明】
１０  ホストサーバ
１１  データベース
１２  インターネットサイトマネージャ
１３  記憶手段
１４  プロバイダのサーバ
２０  コンピュータ
３０  電話網
１００．１〜１００．ｎ  オーディオビジュアル情報再生装置
【図１】
0004460118.tif 000003
【図２Ａ】
0004460118.tif 000004
【図２Ｂ】
0004460118.tif 000005
【図２Ｃ】
0004460118.tif 000006
【図２Ｄ】
0004460118.tif 000007
【図２Ｅ】
0004460118.tif 000008
【図２Ｆ】
0004460118.tif 000009
【図２Ｇ】
0004460118.tif 000010
【図２Ｈ】
0004460118.tif 000011
【図２Ｉ】
0004460118.tif 000012
【図２Ｊ】
0004460118.tif 000013
【図３】
0004460118.tif 000014
【図４】
0004460118.tif 000015
【図５】
0004460118.tif 000016
【図６Ａ】
0004460118.tif 000017
【図６Ｂ】
0004460118.tif 000018
【図６Ｃ】
0004460118.tif 000019
【図６Ｄ】
0004460118.tif 000020
【図６Ｅ】
0004460118.tif 000021
【図６Ｆ】
0004460118.tif 000022